(57)【特許請求の範囲】
【請求項１】
内視鏡検査において医師が実施するべき複数のタスクを記憶する検査プロトコル保持部と、
前記検査プロトコル保持部に記憶された複数のタスクを表示装置に表示する表示制御部と、
タスクが実施されたことを検出する実施タスク検出部と、
タスクが実施されたことを記録する記録部と、
内視鏡検査における実施データを取得するデータ取得部と、
実施データの変化を検知する状況変化検知部と、を備え、
前記表示制御部は、実施データの変化が検知されたときに、その変化に応じたタスクを表示する、
ことを特徴とする内視鏡業務支援システム。
【請求項２】
前記実施タスク検出部がタスクの実施を検出すると、前記表示制御部は、実施済みタスクの表示態様を、未実施タスクの表示態様と異ならせる、
ことを特徴とする請求項１に記載の内視鏡業務支援システム。
【請求項３】
前記検査プロトコル保持部は、複数のタスクを、その実施順序に関連づけて記憶しており、
前記表示制御部は、複数のタスクを、実施順序にしたがって表示装置に表示する、
ことを特徴とする請求項１または２に記載の内視鏡業務支援システム。
【請求項４】
前記検査プロトコル保持部は、各タスクを、複数のカテゴリの１つに関連づけて記憶しており、
前記表示制御部は、カテゴリごとにタスクの表示態様を異ならせる、
ことを特徴とする請求項１から３のいずれかに記載の内視鏡業務支援システム。
【請求項５】
前記表示制御部は、撮影に関するタスクを表示する際に、見本となる内視鏡画像を表示する、
ことを特徴とする請求項１から４のいずれかに記載の内視鏡業務支援システム。
【請求項６】
前記検査プロトコル保持部は、タスクに関する補助情報を記憶しており、
前記表示制御部は、タスクに関連づけて、補助情報を表示する、
ことを特徴とする請求項１から５のいずれかに記載の内視鏡業務支援システム。
【請求項７】
補助情報を表示するか否かを設定する表示設定部をさらに備える、
ことを特徴とする請求項６に記載の内視鏡業務支援システム。
【請求項８】
患者データを取得する患者データ取得部をさらに備え、
前記表示制御部は、患者データに応じた注意情報を、タスクに関連づけて表示する、
ことを特徴とする請求項１から７のいずれかに記載の内視鏡業務支援システム。
【請求項９】
未実施タスクが存在していることを検出する未実施タスク検出部を、さらに備え、
前記未実施タスク検出部が未実施タスクの存在を検出すると、前記表示制御部は、未実施タスクを表示する、
ことを特徴とする請求項１から８のいずれかに記載の内視鏡業務支援システム。
【請求項１０】
前記未実施タスク検出部は、検査終了時に、未実施タスクが存在していることを検出する、
ことを特徴とする請求項９に記載の内視鏡業務支援システム。
【発明の詳細な説明】
【技術分野】
【０００１】
本発明は、内視鏡業務を支援するシステムに関する。
【背景技術】
【０００２】
現在、内視鏡検査に関して記録されるデータは主として静止画像、動画像および検査後に医師が作成するレポート情報である。また、レポート情報と併せて検査に要した全体的な時間のようなごく一般的な数値情報を記録することが可能である。
【０００３】
近年、機器からの出力情報やセンシング技術等を用いて現実世界における多種多様な事象をビッグデータ化することで新たな知識・知見を得たり、様々な改善や効率化を実現しようという試みが数多くなされている。もし内視鏡医療においても同様のことを実施しようとするならば、例えば内視鏡検査をどのように施行することが病変の発見に有効か、熟練医と非熟練医との違いはどのようなところに現れるか、いわゆるルーチン検査のプロトコルに対して確実に準拠しているか、さらには検査プロトコルをどのように改善すればよいかといった様々な知識・知見の発見が期待されると考えられる。
【０００４】
特許文献１は、医療行為に関する医療器具および／または人間の状態を示す状態情報を時系列的に収集し、状態情報から判定されるイベントの発生状況にもとづいて複数のステージの実施順序および開始タイミングを判定して、実施順序および開始タイミングを示す手順情報を生成する医療情報システムを開示する。
【先行技術文献】
【特許文献】
【０００５】
【特許文献１】特開２００６−１６４２５１号公報
【発明の概要】
【発明が解決しようとする課題】
【０００６】
医療施設では、医師の経験やスキルの違いから、患者の負担、臓器の観察方法に相違が出ないようにするために、検査の手順を定義した検査プロトコルを定めることが有効とされている。しかしながら医師が検査プロトコルの存在を忘れてしまったり、また検査プロトコルを正確に覚えてないようなケースでは、検査プロトコルを定めた意味がない。
【０００７】
また経験が浅い非熟練医が内視鏡検査を行った場合、検査後に熟練医が指導を兼ね、非熟練医が作成したレポートを参照して、所見の見落としが無いか、診断の誤りが無いか等のチェックを行うことが一般的である。検査プロトコルを定義している医療施設では、非熟練医が検査プロトコルに沿って検査を実施したかを確認することが好ましいが、検査レポートには所見等が記録されているものの、検査の実施手順は記録されていないために、現状、検査プロトコルを遵守できているかを確認することはできない。
【０００８】
本発明はこうした状況に鑑みなされたものであり、その目的は、検査プロトコルを定義している医療施設において、検査プロトコルを遵守した検査が実施されるようにする技術を提供することにある。
【課題を解決するための手段】
【０００９】
上記課題を解決するために、本発明のある態様の内視鏡業務支援システムは、内視鏡検査において医師が実施するべき複数の行為（内視鏡操作、臓器観察、撮影、手技、実施などの行為。以下「タスク」と呼ぶ）を記憶する検査プロトコル保持部と、検査プロトコル保持部に記憶された複数のタスクを表示装置に表示する表示制御部と、タスクが実施されたことを検出する実施タスク検出部と、タスクが実施されたことを記録する記録部と、を備える。
【００１０】
なお、以上の構成要素の任意の組み合わせ、本発明の表現を方法、装置、システム、記録媒体、コンピュータプログラムなどの間で変換したものもまた、本発明の態様として有効である。
【発明の効果】
【００１１】
本発明によれば、検査プロトコルを定義している医療施設において、検査プロトコルを遵守した検査が実施されるようにすることが可能となる。
【図面の簡単な説明】
【００１２】
【図１】本発明の実施の形態１に係る内視鏡業務支援システムの構成を示す図である。
【図２】実施の形態１に係る内視鏡システムの構成を示す図である。
【図３】実施の形態１に係る内視鏡検査データ記録装置の構成を示す図である。
【図４】実施の形態１に係る端末装置の構成を示す図である。
【図５】生検鉗子を含む内視鏡画像の一例を示す図である。
【図６】図６（ａ）−（ｃ）は、マスタ情報保持部に保持されるマスタ情報テーブルの例を示す図である。
【図７】検査データ保持部に記録される検査データの一例を示す図である。
【図８】検査データ保持部に記録される検査データの別の例を示す図である。
【図９】実施の形態１に係る内視鏡システムの動作例を説明するためのフローチャートである。
【図１０】実施の形態１に係る内視鏡検査データ記録装置の動作例を説明するためのフローチャートである。
【図１１】実施の形態２に係る内視鏡システムの構成を示す図である。
【図１２】実施の形態２に係る内視鏡検査データ記録装置の構成を示す図である。
【図１３】図１３（ａ）−（ｂ）は、マスタ情報保持部に保持される撮像距離マスタテーブルの一例と、検査データ保持部に記録される検査データの一例を示す図である。
【図１４】実施の形態３に係る内視鏡システムの構成を示す図である。
【図１５】実施の形態３に係る内視鏡検査データ記録装置の構成を示す図である。
【図１６】マスタ情報保持部に保持される撮像状態マスタテーブルの一例を示す図である。
【図１７】検査データ保持部に記録される検査データの一例を示す図である。
【図１８】マスタ情報保持部に保持される変化評価値・撮像状態マスタテーブルの一例を示す図である。
【図１９】検査データ保持部に記録される検査データの一例を示す図である。
【図２０】実施の形態３の応用例に係る内視鏡システムの動作例を説明するためのフローチャートである。
【図２１】実施の形態４に係る内視鏡検査データ記録装置の構成を示す図である。
【図２２】統計データ保持部に記録される統計データの一例を示す図である。
【図２３】実施の形態４に係る内視鏡検査データ記録装置の動作例を説明するためのフローチャートである。
【図２４】実施の形態５に係る内視鏡検査データ記録装置の構成を示す図である。
【図２５】図２５（ａ）−（ｂ）は、内視鏡画像に撮影順に部位情報を付与するための部位特定画面の一例を示す図である。
【図２６】実施の形態５に係る内視鏡検査データ記録装置の動作例を説明するためのフローチャートである。
【図２７】内視鏡検査における２地点の指定画面の一例を示す図である。
【図２８】内視鏡検査における部位間選択画面の一例を示す図である。
【図２９】内視鏡検査の推移をデータで表した画面例の第１状態（検査開始直後）を示す図である。
【図３０】内視鏡検査の推移をデータで表した画面例の第２状態（検査開始から５分経過時）を示す図である。
【図３１】内視鏡検査の推移をデータで表した画面例の第３状態（検査開始から１１分経過時）を示す図である。
【図３２】内視鏡検査の推移をデータで表した画面例の第４状態（検査終了時）を示す図である。
【図３３】実施の形態８に係る内視鏡システムの構成を示す図である。
【図３４】実施の形態８に係る内視鏡検査データ記録装置の構成を示す図である。
【図３５】表示装置に表示される検査プロトコル画面の一例を示す図である。
【図３６】表示装置に表示される検査プロトコル画面の別の例を示す図である。
【図３７】表示装置に表示される検査プロトコル画面の別の例を示す図である。
【図３８】実施済みタスクの表示態様の一例を示す図である。
【図３９】実施済みタスクの表示態様の別の例を示す図である。
【図４０】実施済みタスクの表示態様の別の例を示す図である。
【図４１】実施済みタスクの表示態様の別の例を示す図である。
【図４２】検査プロトコル画面の別の例を示す図である。
【図４３】検査プロトコル画面の別の例を示す図である。
【発明を実施するための形態】
【００１３】
（実施の形態１）
図１は、本発明の実施の形態１に係る内視鏡業務支援システム１の構成を示す図である。実施の形態１において内視鏡業務支援システム１は、内視鏡部門に設置される内視鏡検査データ記録システムであって、図示しない業務支援システムと連携して動作する。内視鏡業務支援システム１は内視鏡システム１０、内視鏡検査データ記録装置２０、端末装置３０を備え、それらはＬＡＮなどのネットワーク２によって相互接続される。
【００１４】
内視鏡業務支援システム１は医療施設内の別のシステムと連携が可能である。例えばネットワーク２にゲートウェイ装置（不図示）が接続され、このゲートウェイ装置を介して内視鏡業務支援システム１は、オーダリングシステム、電子カルテシステム、医事会計システム等と連携可能である。
【００１５】
図２は、実施の形態１に係る内視鏡システム１０の構成を示す図である。内視鏡システム１０は内視鏡１１、内視鏡処理装置（カメラコントロールユニットともいう）１２、表示装置１３および光源装置１４を備える。内視鏡１１は患者の体内に挿入され、患者の体内を撮影する。内視鏡１１は撮像素子１１１、鉗子チャンネル１１２および操作部１１３を含む。
【００１６】
撮像素子１１１はＣＣＤイメージセンサ、ＣＭＤイメージセンサまたはＣＭＯＳイメージセンサを備え、入射光を光電変換する。光電変換により生成された画像信号は、図示しない信号処理回路によりＡ／Ｄ変換、ノイズ除去などの信号処理が施され、内視鏡処理装置１２に出力される。鉗子チャンネル１１２は、鉗子などの処置具を通すためのチャンネルである。操作部１１３にはレリーズボタン、内視鏡の先端を曲げるためのアングルノブ等が設けられる。
【００１７】
表示装置１３は、内視鏡処理装置１２から入力される画像を表示する。例えば、内視鏡１１により撮像されている患者の体内の画像をリアルタイムに表示する。光源装置１４はキセノンランプ等の光源を備え、内視鏡１１の先端に光を送る。光源装置１４は内視鏡１１に複数種類の観察光を照射できる。例えば白色光、狭帯域光（Narrow Band Imaging：ＮＢＩ）、蛍光、近赤外光を照射できる。
【００１８】
内視鏡処理装置１２は内視鏡システム１０全体を制御する。内視鏡処理装置１２は制御部１２１、および通信部１２６を備える。制御部１２１は照射光切替制御部１２２、および画像認識部１２３を含む。画像認識部１２３は薬剤散布検知部１２３ａ、および処置実施検知部１２３ｂを含む。図２の制御部１２１には、実施の形態１の処理に関連する機能ブロックのみを描いている。
【００１９】
制御部１２１の機能は、ハードウェア資源とソフトウェア資源の協働、またはハードウェア資源のみにより実現できる。ハードウェア資源としてプロセッサ、ＲＯＭ、ＲＡＭ、その他のＬＳＩを利用できる。ソフトウェア資源としてオペレーティングシステム、アプリケーション等のプログラムを利用できる。例えば、画像認識部１２３はＦＰＧＡにより構成されてもよい。
【００２０】
図３は、実施の形態１に係る内視鏡検査データ記録装置２０の構成を示す図である。内視鏡検査データ記録装置２０は例えばサーバ、またはＰＣで構成される。内視鏡検査データ記録装置２０は通信部２１、制御部２２、記憶部２３、およびコンソール部２４を備える。制御部２２はデータ取得部２２１、操作受付部２２２、表示制御部２２３、データ算出部２２４およびデータ記録部２２５を含む。データ取得部２２１は照射光種別データ取得部２２１ａ、薬剤散布データ取得部２２１ｂ、および処置実施データ取得部２２１ｃを含む。図３の制御部２２にも、実施の形態１の処理に関連する機能ブロックのみを描いている。制御部２２の機能も、ハードウェア資源とソフトウェア資源の協働、またはハードウェア資源のみにより実現できる。
【００２１】
記憶部２３はＨＤＤ、ＳＳＤ等の記録媒体を備え、マスタ情報保持部２３１、および検査データ保持部２３２を含む。図３の記憶部２３にも、実施の形態１の処理に関連する機能ブロックのみを描いている。
【００２２】
図４は、実施の形態１に係る端末装置３０の構成を示す図である。端末装置３０は医師、看護師など医療機関に従事する医療従事者が使用する端末装置であり、例えばＰＣ、タブレット、ＰＤＡなどで構成される。タブレット、ＰＤＡなどの携帯端末装置が使用される場合、ネットワーク２にアクセスポイント（不図示）が設置され、無線ＬＡＮによりネットワーク２に接続される。端末装置３０は通信部３１、制御部３２、記憶部３３、表示部３４、および操作入力部３５を備える。以下、図２〜図４を参照しながら具体的に説明する。
【００２３】
内視鏡１１で患者の体内を撮影した内視鏡画像は動画像として、内視鏡処理装置１２に入力される。例えば３０Ｈｚのフレームレートで入力される。内視鏡処理装置１２の表示制御部（不図示）は、入力された内視鏡動画像を表示装置１３に表示させる。内視鏡処理装置１２の操作受付部（不図示）は内視鏡１１の操作部１１３に対してなされた医師の操作を受け付ける。例えば医師によるレリーズボタンの押下を受け付ける。内視鏡処理装置１２の画像抽出部（不図示）は、レリーズボタンが押下されたタイミングで内視鏡動画像から静止画を抽出する。抽出された静止画は内視鏡システム１０の記憶装置（不図示）に保存されるか、ネットワーク２を介して内視鏡画像記録装置（不図示）に転送されて保存される。なお内視鏡検査データ記録装置２０に転送して保存してもよいし、ＰＡＣＳ（Picture Archiving and Communication System）（不図示）に転送して保存してもよい。
【００２４】
照射光切替制御部１２２は、内視鏡処理装置１２の操作部（不図示）に対して医師によりなされた観察光の切替操作を受け付け、当該切替操作により指示された種別の観察光を発光するよう光源装置１４を制御する。光源装置１４で発光された観察光は、内視鏡１１を通じて患者の体腔に誘導され、体腔内を照射する。
【００２５】
薬剤散布検知部１２３ａは内視鏡動画像に含まれるフレーム画像から、内視鏡検査で使用された薬剤を画像認識により検出する。薬剤散布検知部１２３ａはフレーム画像内から画像認識により薬剤を定期的に所定の時間間隔で探索する。例えば、Ｎ秒またはＮフレームおきに探索を実行する。例えば１秒おき、または５秒おきに探索する。
【００２６】
探索対象の薬剤は患者の体内に散布された色素剤・染色剤である。色素剤は生体粘膜に吸収されず表面に貯留することで形状や凹凸を観察するために使用される。染色剤は組織による吸収有無や反応の違いにより粘膜表面性状や細胞構造の違いを観察するために使用される。
【００２７】
代表的な色素・染色剤として、インジゴカルミン、ルゴール（ヨード）、ピオクタニン（クリスタルバイオレット）、メチレンブルー、酢酸、墨汁が挙げられる。インジゴカルミンの主な散布臓器は胃、大腸であり、腫瘍性病変（癌、腺腫等）および非腫瘍性病変（過形成性ポリープ）等の鑑別診断および範囲診断に用いられる。ルゴールの主な散布臓器は食道であり、 食道癌の鑑別診断および範囲診断に用いられる。ピオクタニンの主な散布臓器は大腸であり、大腸癌を含む腫瘍性・非腫瘍性病変の鑑別診断および深達度診断に用いられる。メチレンブルーの主な散布臓器は胃、大腸であり、胃の腸上皮化生の診断に用いられてる。近年は超拡大内視鏡(endocytoscopy：ＥＣ)観察の核染色にも使用される。なお、この用途でピオクタニンを使用する場合もある。酢酸の主な散布臓器は胃、大腸であり、腫瘍性病変（癌、腺腫等）および非腫瘍性病変（過形成性ポリープ）等の鑑別診断および範囲診断に用いられる。インジゴカルミンと併用され、範囲診断の精度を高めるために使用される。
【００２８】
薬剤散布検知部１２３ａは内視鏡画像内から薬剤（例えば、インジゴカルミン（青色〜緑青色）、ルゴール（褐色〜黄褐色）、ピオクタニン（紫色〜青紫色）、メチレンブルー（青色）、酢酸（白色））を色調特徴量に基づき検出する。色調特徴量に基づく検出方法として例えば、特願平７−１１６１３８号、特願２０１４−１９１７８１号に記載した方法を使用することができる。
【００２９】
薬剤散布検知部１２３ａは探索対象の内視鏡画像ごとに色調特徴量を算出し、探索対象の各内視鏡画像内における薬剤散布の有無を検知する。薬剤が散布されている場合、その薬剤の種別を特定する。薬剤散布検知部１２３ａはＮ秒またはＮフレームおきに、患者の体内における薬剤の散布状態を示す薬剤散布データをデータ送出部１２５に渡す。
【００３０】
処置実施検知部１２３ｂは内視鏡動画像に含まれるフレーム画像から、内視鏡検査で使用される処置具を画像認識により検出し、検出した処置具をもとに実施されている処置を検知する。処置実施検知部１２３ｂはフレーム画像内から画像認識により処置具を定期的に探索する。通常、薬剤散布検知部１２３ａによる薬剤の画像認識処理と同期して処理される。
【００３１】
処置具には鉗子が含まれる。鉗子には生検鉗子、把持鉗子、ホットバイオプシー鉗子などがある。ホットバイオプシー鉗子は高周波通電ができ、異物をつまんで切除し回収できる鉗子である。また処置具には注射針が含まれる。注射針には生検針、生理食塩水を局注するための局注針などがある。また処置具には高周波処置具が含まれる。高周波処置具にはスネア、切開鉗子、ナイフ、止血鉗子などがある。高周波スネアはＥＭＲ（Endoscopic Mucosal Resection）に使用される。高周波ナイフはＥＳＤ（Endoscopic Submucosal Dissection）に使用される。
【００３２】
また処置具には、止血に使用されるクリップが含まれる。また処置具には、消化管内のポリープを結さつするための結紮装置が含まれる。また処置具には十二指腸スコープ用処置具が含まれる。十二指腸スコープ用処置具には、カニューラ、造影チューブ、砕石具などが含まれる。カニューラはＥＲＣＰ（Endoscopic Retrograde Cholangiopancreatography）に使用される。
【００３３】
また処置具には、ガイドワイヤ、ブラシ、バスケット、チューブ、ステント、バルーン、カテーテル等が含まれる。ガイドワイヤ、カテーテルはＥＲＣＰに使用される。ブラシは細胞診に使用される。バスケットは採石、異物回収に使用される。チューブは色素散布に使用される。ステントは留置術に使用される。バルーンは拡張術に使用される。
【００３４】
以下、処置具の具体的な検出方法について説明する。内視鏡１１は機種によって処置具の鉗子チャンネル１１２の位置が決まっている。鉗子チャンネル１１２が２チャンネルの機種もある。各処置具を鉗子チャンネル１１２に挿通した際の内視鏡画像をテンプレート画像とし、検査時の内視鏡画像と照合することにより、いずれの処置具が使用されたかを検出する。テンプレート画像は処置具ごとに、鉗子チャネル方向、突出長、開閉状態が異なる画像を複数用意する。また回転により画像上の形状が変化する非対称形状の処置具については、回転角度が異なる画像を複数用意する。
【００３５】
内視鏡画像から処置具を検出するために、まず内視鏡画像からエッジを検出する。エッジ検出用の画像には赤色（Ｒ）画像または緑色（Ｇ）画像を用いる。処置具シースが赤い場合は緑色（Ｇ）画像を用いるとよい。次にエッジ画像内からテンプレートマッチング、Hough変換などを用いて線分形状を検出する。次に、検出した線分形状とテンプレート画像を照合し、一致度を算出する。一致度が最も高いテンプレート画像の処置具を検出結果とする。
【００３６】
図５は、生検鉗子４１を含む内視鏡画像４０の一例を示す図である。処置具は、図５に示すように基本的に、４〜８時の方向からフレームインする。従って処置具のテンプレート画像は、４〜８時の方向からフレームインする向きのテンプレート画像のみを用意すればよい。これによりテンプレート画像の数、照合に必要な演算量を低減できる。
【００３７】
なお処置具の検出において、シースの色情報を考慮することも可能である。また近年パターン検出等で利用されているＳＩＦＴ（Scale-Invariant Feature Transform）、ＳＵＲＦ(Speeded Up Robust Features)等の特徴量を用いたアルゴリズムを用いてもよい。
【００３８】
処置実施検知部１２３ｂは画像認識により検出した処置具をもとに、実施されている処置を検知する。例えば生検鉗子が検出された場合、生検が実施されていると判定する。処置実施検知部１２３ｂはＮ秒またはＮフレームおきに、医師により実施される処置の実施状況を示す処置実施データをデータ送出部１２５に渡す。
【００３９】
照射光切替制御部１２２は、薬剤散布検知部１２３ａおよび処置実施検知部１２３ｂによる薬剤散布および処置実施の検知タイミングに同期して、Ｎ秒またはＮフレームおきに光源装置１４で使用されている観察光の種別を示す照射光種別データをデータ送出部１２５に渡す。
【００４０】
データ送出部１２５は、照射光切替制御部１２２から渡された照射光種別データ、薬剤散布検知部１２３ａから渡された薬剤散布データ、および処置実施検知部１２３ｂから渡された処置実施データを、ネットワーク２を介して内視鏡検査データ記録装置２０に送出する。データ送出部１２５は、所定の時間間隔で渡される照射光種別データ、薬剤散布データ、および処置実施データをその都度、送信してもよいし、バッファ（不図示）にデータを一時蓄積してからまとめて送信してもよい。例えば、内視鏡検査終了後にその内視鏡検査の照射光種別データ、薬剤散布データ、および処置実施データを一括送信してもよい。またバッファ（不図示）の容量が小さく設計されている場合、バッファ（不図示）の空き容量がなくなった段階で蓄積したデータを一括送信してもよい。
【００４１】
内視鏡検査データ記録装置２０の照射光種別データ取得部２２１ａ、薬剤散布データ取得部２２１ｂ、および処置実施データ取得部２２１ｃは、照射光種別データ、薬剤散布データ、および処置実施データを内視鏡システム１０からそれぞれ取得する。データ記録部２２５は、照射光種別データ取得部２２１ａ、薬剤散布データ取得部２２１ｂ、および処置実施データ取得部２２ｃによりそれぞれ取得されるデータの推移を検査データ保持部２３２に記録する。
【００４２】
本実施の形態では照射光種別データ取得部２２１ａ、薬剤散布データ取得部２２１ｂ、および処置実施データ取得部２２１ｃは、照射光種別データ、薬剤散布データ、および処置実施データの時系列データをそれぞれ取得する。データ記録部２２５は、それぞれ取得される時系列データをそのまま、または加工して検査データ保持部２３２に記録する。
【００４３】
図６（ａ）−（ｃ）は、マスタ情報保持部２３１に保持されるマスタ情報テーブルの例を示す図である。図６（ａ）は観察光種別マスタテーブル２１３ａの一例を示し、図６（ｂ）は薬剤種別マスタテーブル２１３ｂの一例を示し、図６（ｃ）は処置種別マスタテーブル２１３ｃの一例を示している。
【００４４】
図６（ａ）に示す観察光種別マスタテーブル２１３ａには観察光種別として、白色光＝１、狭帯域光＝２、蛍光＝３、近赤外光＝４の４種類が規定されている。図６（ｂ）に示す薬剤種別マスタテーブル２１３ｂには薬剤種別として、インジゴカルミン＝１、ルゴール＝２、ビオクタニン＝３、メチレンブルー＝４、酢酸＝５の５種類が規定されている。なお番号０は薬剤検出なしを示している。図６（ｃ）に示す処置種別マスタテーブル２１３ｃには処置種別として、生検＝１、ポリペクトミー＝２、局注＝３、・・・、ステント＝９の９種類が規定されている。なお番号０は処置検出なしを示している。また図示しないが、各処置と各処置で使用される処置具が紐付けられた処置具マスタテーブルが設けられ、画像認識により検出された処置具に基づき処置種別が特定される。
【００４５】
観察光種別マスタテーブル２１３ａと同じテーブルが内視鏡システム１０の照射光切替制御部１２２にも設けられる。また薬剤種別マスタテーブル２１３ｂと同じテーブルが内視鏡システム１０の薬剤散布検知部１２３ａにも設けられる。また処置種別マスタテーブル２１３ｃおよび処置具マスタテーブルと同じテーブルが内視鏡システム１０の処置実施検知部１２３ｂにも設けられる。
【００４６】
照射光切替制御部１２２は所定の時間間隔で観察光の種別を確認し、確認した観察光の種別を観察光種別マスタテーブルを参照して番号に変換し、データ送出部１２５に渡す。薬剤散布検知部１２３ａは所定の時間間隔で内視鏡画像内において薬剤を探索し、探索結果を薬剤種別マスタテーブルを参照して番号に変換し、データ送出部１２５に渡す。処置実施検知部１２３ｂは所定の時間間隔で内視鏡画像内において処置具を探索し、その探索結果を処置具マスタテーブルおよび処置種別マスタテーブルを参照して番号に変換し、データ送出部１２５に渡す。
【００４７】
図７は、検査データ保持部２３２に記録される検査データ２３２ａの一例を示す図である。図７に示す例はデータ記録部２２５が、照射光種別データ取得部２２１ａ、薬剤散布データ取得部２２１ｂ、および処置実施データ取得部２２１ｃにより取得された照射光種別データ、薬剤散布データ、および処置実施データの時系列データをそのまま検査データ保持部２３２に記録した例である。
【００４８】
この例では検査開始から検査終了まで１秒単位で観察光、薬剤散布、処置に関するデータが時系列に記録される。なお時系列データは時間単位のデータではなく、フレーム単位のデータであってもよい。図７に示す例では検査開始から２秒経過時点で観察光が白色光から狭帯域光に切り替えられている。また検査開始から１００秒経過時点で生検が開始されている。また検査開始から１０００秒経過時点でルゴールが散布されている。
【００４９】
より正確に内視鏡検査を記録するためには、内視鏡検査の開始時刻および終了時刻に加え、内視鏡１１が体腔内に挿入された時刻、体腔外に抜去された時刻を記録することが望まれる。
【００５０】
内視鏡システム１０の検査開始・終了検知部（不図示）は、医師により検査開始ボタンが押下されると内視鏡検査の開始を検知し、その検知時刻を含む検査開始検知データをデータ送出部１２５に渡す。なお検査開始は光源装置１４への内視鏡１１の装着、または光源装置１４の電源オンに起因して検知してもよい。また検査開始・終了検知部（不図示）は、医師により検査終了ボタンが押下されると内視鏡検査の終了を検知し、その検知時刻を含む検査終了検知データをデータ送出部１２５に渡す。なお検査終了は光源装置１４からの内視鏡１１の抜き取り、または光源装置１４の電源オフに起因して検知してもよい。
【００５１】
内視鏡システム１０の体腔内挿入状態検知部（不図示）は、内視鏡１１が体腔内に挿入されたことを検知すると、その検知時刻を含む内視鏡挿入検知データをデータ送出部１２５に渡す。内視鏡１１が体腔内に挿入されたことおよび体腔外に抜去されたことは、特願平７−１１６１３８号に記載した方法により検知することができる。また、体腔内挿入状態検知部（不図示）は例えば、内視鏡画像の赤色（Ｒ）成分の増加率にもとづき内視鏡１１が体腔内に挿入されたことを検知してもよい。また患者のマウスピースに装着されたセンサの検知信号にもとづき、内視鏡１１がマウスピースを通過し、体腔内に挿入されたことを検知してもよい。
【００５２】
また体腔内挿入状態検知部（不図示）は、内視鏡１１が体腔外に抜去されたことを検知すると、その検知時刻を含む内視鏡抜去検知データをデータ送出部１２５に渡す。体腔内挿入状態検知部（不図示）は例えば、内視鏡画像の赤色（Ｒ）成分の減少率にもとづき内視鏡１１が体腔外に抜去されたことを検知してもよい。また患者のマウスピースに装着されたセンサの検知信号にもとづき、内視鏡１１がマウスピースを通過し、体腔外に抜去されたことを検知してもよい。
【００５３】
データ送出部１２５は、検査開始・終了検知部（不図示）から渡された検査開始検知データおよび検査終了検知データ、ならびに体腔内挿入状態検知部（不図示）から渡された内視鏡挿入検知データおよび内視鏡抜去検知データを、ネットワーク２を介して内視鏡検査データ記録装置２０に送出する。
【００５４】
内視鏡検査データ記録装置２０の検査開始・終了データ取得部（不図示）および体腔内挿入状態検知データ取得部（不図示）は、検査開始検知データ、検査終了検知データ、内視鏡挿入検知データ、および内視鏡抜去検知データを取得する。データ記録部２２５は、検査開始検知データ、検査終了検知データ、内視鏡挿入検知データ、および内視鏡抜去検知データを検査データ保持部２３２に記録する。
【００５５】
内視鏡検査データ記録装置２０のデータ算出部２２４は、照射光種別データ取得部２２１ａにより取得された照射光種別データの時系列データをもとに内視鏡検査における各観察光の使用時間、および／または各観察光の使用回数を算出する。観察光の使用時間は、観察光の照射が連続している時間から算出できる。また詳細は後述するが、内視鏡１１で撮像された動画像または静止画の付帯情報に含まれる照射光情報、若しくはユーザにより手動で入力された、特定の観察光を使用しての観察開始時刻と観察終了時刻との時間差から算出できる。
【００５６】
またデータ算出部２２４は、薬剤散布データ取得部２２１ｂにより取得された薬剤散布データの時系列データをもとに内視鏡検査における各薬剤を使用しての観察時間、および／または各薬剤の使用回数を算出する。薬剤を使用しての観察時間は、薬剤が動画像にフレームインしている時間から算出できる。また詳細は後述するが、ユーザにより手動で入力された、特定の薬剤を使用しての観察開始時刻と観察終了時刻との時間差から算出できる。
【００５７】
またデータ算出部２２４は、処置実施データ取得部２２１ｃにより取得された処置実施データの時系列データをもとに内視鏡検査における各処置の実施時間、および／または各処置の実施回数を算出する。処置の実施時間は、処置具が動画像にフレームインしている時間から算出できる。また詳細は後述するが、ユーザにより手動で入力された、処置開始時刻と処置終了時刻との時間差から算出できる。
【００５８】
データ記録部２２５は、データ算出部２２４により算出された各観察光の使用時間、各観察光の使用回数、各薬剤を使用しての観察時間、各薬剤の使用回数、各処置の実施時間、および各処置の実施回数の少なくとも１つを検査データ保持部２３２に記録する。
【００５９】
図８は、検査データ保持部２３２に記録される検査データ２３２ｂの別の例を示す図である。図８に示す例はデータ記録部２２５が、データ算出部２２４により算出された内視鏡検査における、各観察光の使用時間、各観察光の使用回数、各薬剤を使用しての観察時間、各薬剤の使用回数、各処置の実施時間、および各処置の実施回数を検査データ保持部２３２に記録した例である。図８に示す検査データ２３２ｂは、図７に示した素の検査データ２３２ａを加工して生成したデータである。
【００６０】
図８に示す例において、検知情報種別欄の「内視鏡」は番号０が体腔内への挿入を、番号１が体腔外への抜去を示している。「観察光」は検査開始から０〜１秒が白色光、検査開始から２〜９８秒が狭帯域光、検査開始から９９〜２０００秒が白色光（２回目）である。処置として検査開始から１００〜６００秒の期間に生検が実施されている。薬剤散布として検査開始から１０００〜１５００秒の期間にルゴールが散布されている。
【００６１】
このように内視鏡検査の推移を示す素の時系列データを、内視鏡検査で起こったイベントの種別、開始時刻、終了時刻、回数に加工して記録することができる。なお加工データを生成した場合、素の時系列データを消去してデータ量を圧縮してもよい。また素の時系列データの加工方法は、素の時系列データを復元できればよく、その加工方法および記録方法は問わない。
【００６２】
以上の説明においては薬剤散布や処置実施を画像認識により検出する例を挙げた。この点、薬剤散布や処置実施をユーザが手動で入力してもよい。例えば、医師や看護師が内視鏡検査中もしくは検査後に、内視鏡システム１０の表示装置１３または端末装置３０の表示部３４に表示された内視鏡画像を見て、薬剤散布および／または処置実施に関する情報を入力してもよい。
【００６３】
具体的には散布された薬剤名を入力し、薬剤散布状態での観察開始時点および観察終了時点のフレーム画像を指定する。また実施された処置名を入力し、処置開始時点および処置終了時点のフレーム画像を指定する。内視鏡検査データ記録装置２０の操作受付部２２２は、医師または看護師により入力された薬剤散布および／または処置実施に関する情報を受け付け、データ記録部２２５およびデータ算出部２２４に渡す。体腔内の部位によっては画像認識の精度が下がる部位があり、画像認識により誤ったデータが検出された場合、医師または看護師により手動で修正される。
【００６４】
なお観察光の種別についても、医師または看護師が、観察光の切替時点および切替後の観察光の種別を手動で入力することができる。また、内視鏡１１で撮像された動画像またはフレーム画像の付帯情報から観察光の種別と切替時点を特定できる場合もある。
【００６５】
図９は、実施の形態１に係る内視鏡システム１０の動作例を説明するためのフローチャートである。内視鏡システム１０の検査開始・終了検知部（不図示）が内視鏡検査の開始を検知すると（Ｓ１０のＹ）、その検知時刻をデータ送出部１２５に通知する。その後、体腔内挿入状態検知部（不図示）が内視鏡１１の体腔内への挿入を検知すると（Ｓ１１のＹ）、その検知時刻をデータ送出部１２５に渡す。
【００６６】
画像認識部１２３は内視鏡１１で撮像された内視鏡画像を取得する（Ｓ１２）。薬剤散布検知部１２３ａは取得された内視鏡画像内において薬剤を探索し、処置実施検知部１２３ｂは取得された内視鏡画像内において処置具を探索する（Ｓ１３）。薬剤散布検知部１２３ａおよび処置実施検知部１２３ｂは探索結果をデータ送出部１２５に渡す。照射光切替制御部１２２は観察光の種別を確認する（Ｓ１４）。照射光切替制御部１２２は確認結果をデータ送出部１２５に渡す。データ送出部１２５は、観察光、薬剤、処置に関するデータをバッファ（不図示）に一時保持する（Ｓ１５）。
【００６７】
体腔内挿入状態検知部（不図示）が内視鏡１１の体腔外への抜去を検知せずに（Ｓ１６のＮ）、内視鏡画像の取得からＮ秒が経過すると（Ｓ１７のＹ）、ステップＳ１２に戻り、新たな内視鏡画像を取得する（Ｓ１２）。体腔内挿入状態検知部（不図示）が内視鏡１１の体腔外への抜去を検知すると（Ｓ１６のＹ）、その検知時刻をデータ送出部１２５に渡す。その後、検査開始・終了検知部（不図示）が内視鏡検査の終了を検知すると（Ｓ１８のＹ）、その検知時刻をデータ送出部１２５に通知する。データ送出部１２５は、バッファ（不図示）に蓄積されたデータを時系列データとして内視鏡検査データ記録装置２０に送出する（Ｓ１９）。
【００６８】
図１０は、実施の形態１に係る内視鏡検査データ記録装置２０の動作例を説明するためのフローチャートである。内視鏡検査データ記録装置２０のデータ取得部２２１は、内視鏡システム１０から各種の時系列データを取得する（Ｓ２０）。データ算出部２２４は、取得された観察光に関する時系列データをもとに観察光の使用時間と使用回数を種類別に算出する（Ｓ２１）。またデータ算出部２２４は、取得された薬剤散布に関する時系列データをもとに薬剤を使用しての観察時間と薬剤の使用回数を種類別に算出する（Ｓ２２）。またデータ算出部２２４は、取得された処置実施に関する時系列データをもとに処置の実施時間と実施回数を種類別に算出する（Ｓ２３）。データ記録部２２５は、取得された時系列データと算出された加工データを検査データ保持部２３２に記録する（Ｓ２４）。
【００６９】
以上説明したように実施の形態１によれば、内視鏡検査において使用した観察光の種別、各種の薬剤散布による精密診断、生検等の各種処置実施を各時点におけるデータとして記録できる。従って薬剤散布や処置実施に要した時間や回数を把握するとともに、その出現順序の把握、平均値算出等の定量評価、他の検査との比較を行うことが可能となり、内視鏡検査の品質を正確かつ客観的に評価することが可能となる。なお、本実施の形態においては観察光、薬剤散布および処置実施に関して取得された時系列データと算出された加工データを記録する内視鏡業務支援システムについて説明したが、これらの各データのいずれかを選択的に取得あるいは記録するように構成することももちろん可能であり、データの利用目的や使用可能な計算資源等に応じて適宜選択的に取得および記録してもよい。
【００７０】
従来、内視鏡検査中の観察光切替、薬剤散布、処置実施に関する情報は、医師や看護師の記憶に基づき医師や看護師により事後的に手作業で記録されてきた。しかしながら、記録する情報が多岐に渡るため、記録の精度や粒度が記録者毎にばらばらになる傾向があり、統一的なデータ記録が実現できていなかった。また医師や看護師による手作業による記録は煩雑な作業である。これに対して実施の形態１によれば、内視鏡検査中の内視鏡画像から画像認識により検出した情報等をもとに、内視鏡検査の軌跡を時系列に自動的に記録できる。従って医師や看護師の作業負担を軽減でき、統一的なデータ記録が可能になる。
【００７１】
また薬剤散布等の各イベントの検知順序をもとに内視鏡検査において使用された手技も特定できる。例えば、局注針が検出された後、高周波スネアが検出された場合、ＥＭＲが実施されたと推定できる。また狭帯域光（ＮＢＩ）を使用中に拡大観察を行うと診療報酬が加算となるが、本実施の形態によれば観察光の切替時刻、処置の実施時刻が記録されるため、自動的に診療報酬の加算を計算することも可能である。
【００７２】
また、内視鏡検査は国内外を問わず日常的に膨大な例数が実施されており、これらのデータを集積することによりビッグデータを生成できる。集積したビックデータは、各種の統計的な分析やデータマイニング等に利用できる。
【００７３】
（実施の形態２）
実施の形態１では、観察光切替、薬剤散布、処置実施に関するデータを時系列的に記録する例を説明した。実施の形態２ではそれらに加えて、患者の体内の臓器表面と内視鏡１１との距離を示すデータ、および／または内視鏡１１の拡大倍率を示すデータを時系列的に記録する例を説明する。
【００７４】
図１１は、実施の形態２に係る内視鏡システム１０の構成を示す図である。実施の形態２に係る内視鏡システム１０は、図２に示した実施の形態１に係る内視鏡システム１０に撮像距離推定部１２３ｃおよび倍率制御部１２４が追加された構成である。以下、実施の形態１との相違点を説明する。
【００７５】
撮像距離推定部１２３ｃは、内視鏡動画像に含まれるフレーム画像から、患者の体内の臓器表面と内視鏡１１の先端との間の撮像距離を推定する。撮像距離推定部１２３ｃは例えば特許５０２８１３８号に記載した方法を用いて撮像距離を推定する。本実施の形態では推定した撮像距離を「遠」、「中」、「近」に分類する。なお３カテゴリに限らず、２カテゴリまたは４カテゴリ以上に分類してもよい。
【００７６】
撮像距離推定部１２３ｃは、薬剤散布検知部１２３ａおよび処置実施検知部１２３ｂによる薬剤および処置具の画像認識処理と同期して、Ｎ秒またはＮフレームおきに撮像距離を推定し、推定結果をデータ送出部１２５に渡す。撮像距離の推定開始タイミングには、内視鏡動画像の記録開始のタイミング、画像記録装置でのストップウォッチ計測開始のタイミング、および初回レリーズのタイミングのいずれかを用いることができる。また撮像距離の推定終了タイミングには、内視鏡動画像の記録終了のタイミング、画像記録装置でのストップウォッチ計測終了のタイミング、および検査終了ボタン押下のタイミングのいずれかを用いることができる。
【００７７】
倍率制御部１２４は、拡大観察機能を有する拡大内視鏡が光源装置１４に装着されている場合において、操作部１１３に対する医師の操作に従い拡大内視鏡の倍率を制御する。倍率制御部１２４は、Ｎ秒またはＮフレームおきに拡大内視鏡の倍率を確認し、確認結果をデータ送出部１２５に渡す。倍率制御部１２４は、ズーム倍率をそのままの数値で渡してもよいし、最大広角時を０％、最大望遠時を１００％とするパーセント数値で渡してもよい。なお、拡大内視鏡からズーム倍率を取得する代わりに、画像認識により広角観察か近接拡大観察かを検出してもよい。
【００７８】
データ送出部１２５は、照射光種別データ、薬剤散布データ、および処置実施データに加えて、撮像距離推定部１２３ｃから渡された撮像距離を示す撮像距離データ、および倍率制御部１２４から渡された拡大内視鏡の倍率を示す倍率データを、ネットワーク２を介して内視鏡検査データ記録装置２０に送出する。
【００７９】
図１２は、実施の形態２に係る内視鏡検査データ記録装置２０の構成を示す図である。実施の形態２に係る内視鏡検査データ記録装置２０は、図３に示した実施の形態１に係る内視鏡検査データ記録装置２０に撮像距離データ取得部２２１ｄおよび倍率データ取得部２２１ｅが追加された構成である。以下、実施の形態１との相違点を説明する。
【００８０】
撮像距離データ取得部２２１ｄおよび倍率データ取得部２２１ｅは、撮像距離データおよび倍率データを内視鏡システム１０からそれぞれ取得する。データ記録部２２５は、撮像距離データ取得部２２１ｄおよび倍率データ取得部２２１ｅによりそれぞれ取得されるデータの推移を検査データ保持部２３２に記録する。本実施の形態では撮像距離データ取得部２２１ｄおよび倍率データ取得部２２１ｅは、撮像距離データおよび倍率データの時系列データを取得し、データ記録部２２５は、それぞれ取得される時系列データをそのまま、または加工して検査データ保持部２３２に記録する。
【００８１】
図１３（ａ）−（ｂ）は、マスタ情報保持部２３１に保持される撮像距離マスタテーブル２３１ｄの一例と、検査データ保持部２３２に記録される検査データ２３２ｃの一例を示す図である。  図１３（ａ）に示す撮像距離マスタテーブル２３１ｄには、撮像距離分類として、遠＝１、中＝２、近＝３の３カテゴリが規定されている。
【００８２】
撮像距離マスタテーブル２３１ｄと同じテーブルが内視鏡システム１０の撮像距離推定部１２３ｃにも設けられる。撮像距離推定部１２３ｃは所定の時間間隔で内視鏡画像から撮像距離を推定し、推定結果を撮像距離マスタテーブルを参照して番号に変換し、データ送出部１２５に渡す。
【００８３】
図１３（ｂ）に示す例はデータ記録部２２５が、照射光種別データ取得部２２１ａ、薬剤散布データ取得部２２１ｂ、処置実施データ取得部２２１ｃ、撮像距離データ取得部２２１ｄ、および倍率データ取得部２２１ｅにより取得された照射光種別データ、薬剤散布データ、処置実施データ、撮像距離データ、および倍率データの時系列データをそのまま検査データ保持部２３２に記録した例である。
【００８４】
この例では検査開始から検査終了まで１秒単位で観察光、薬剤散布、処置、撮像距離、倍率に関するデータが時系列的に記録される。図１３（ｂ）に示す例では検査開始から２秒経過時点で撮像距離が「遠」から「中」になり（即ち、内視鏡１１が臓器表面に近づき）、１００秒経過時点で撮像距離が「中」から「近」になっている（即ち、内視鏡１１が臓器表面により近づいている）。また検査開始から１００秒経過時点で生検が開始されたとき、拡大内視鏡の倍率が８０％になっている。
【００８５】
以上説明したように実施の形態２によれば、実施の形態１の効果に加えて以下の効果を奏する。臓器表面までの撮像距離や拡大内視鏡使用時の拡大倍率を定量的かつ客観的に扱える状態で記録することにより、範囲診断や鑑別診断等の精査に関する評価および比較が可能となる。
【００８６】
一般的に病変発見のための観察では遠景で観察され、病変発見後の詳細な観察では近景で観察される傾向にある。従って撮像距離データをもとに、病変発見のための観察を行っているのか、詳細な観察を行っているのかを推定することができる。また薬剤散布時、各処置実施時、狭帯域光使用時の撮像距離データを蓄積することにより、それらを行う際の内視鏡１１の位置をデータベース化して傾向を導き出すことができる。
【００８７】
拡大内視鏡を使用した検査において、一般的に病変発見のための観察では広角で観察され、病変発見後の詳細な観察では拡大された状態で観察される傾向にある。従って拡大内視鏡の倍率データをもとに、病変発見のための観察を行っているのか、詳細な観察を行っているのかを推定することができる。また、近年はボタン操作により焦点を切り替える二焦点切り替え式の拡大内視鏡も実用化されており、そのような機種を使用する場合は連続的な倍率変化ではなく広角または拡大のいずれかの状態での観察となる。また薬剤散布時、各処置実施時、狭帯域光使用時の拡大内視鏡の倍率データを蓄積することにより、それらを行う際の拡大内視鏡の倍率をデータベース化して傾向を導き出すことができる。
【００８８】
（実施の形態３）
実施の形態１では、観察光切替、薬剤散布、処置実施に関するデータを時系列的に記録する例を説明した。実施の形態３ではそれらに加えて、内視鏡１１により撮像された画像の撮像状態を示すデータを時系列的に記録する例を説明する。
【００８９】
図１４は、実施の形態３に係る内視鏡システム１０の構成を示す図である。実施の形態３に係る内視鏡システム１０は、図２に示した実施の形態１に係る内視鏡システム１０に撮像状態分類部１２３ｄが追加された構成である。以下、実施の形態１との相違点を説明する。
【００９０】
撮像状態分類部１２３ｄは、内視鏡１１により時系列的に撮像される各内視鏡画像の撮像状態を分類する。具体的には患者の体腔内の臓器表面を適切に撮像している状態の内視鏡画像であるか否かを分類する。即ち体腔内の臓器を十分に観察できる画像と、体腔内の臓器を十分に観察できない画像とに分類する。以下、前者を分類Ａ、後者を分類Ｂとする。分類Ｂの画像には、ハレーション、色ずれ、赤玉（大腸過近接）、多量の泡、残渣、液体、焦点外れ（ボケ）、ぶれ、送水等が含まれる画像が含まれる。内視鏡画像の撮像状態を分類する方法として例えば、特許４６１５９６３号、特許４６２４８４１号、特許５５３０４０６号に記載した方法を使用することができる。これらの方法を用いて分類Ｂに該当する内視鏡画像を検出し、分類Ｂに該当しない内視鏡画像を分類Ａに分類する。
【００９１】
撮像状態分類部１２３ｄは、薬剤散布検知部１２３ａおよび処置実施検知部１２３ｂによる薬剤および処置具の画像認識処理と同期して、Ｎ秒またはＮフレームおきに内視鏡画像の撮像状態を分類し、分類結果をデータ送出部１２５に渡す。
【００９２】
データ送出部１２５は、照射光種別データ、薬剤散布データ、および処置実施データに加えて、撮像状態分類部１２３ｄから渡された撮像状態データを、ネットワーク２を介して内視鏡検査データ記録装置２０に送出する。
【００９３】
図１５は、実施の形態３に係る内視鏡検査データ記録装置２０の構成を示す図である。実施の形態３に係る内視鏡検査データ記録装置２０は、図３に示した実施の形態１に係る内視鏡検査データ記録装置２０に撮像状態データ取得部２２１ｆが追加された構成である。以下、実施の形態１との相違点を説明する。
【００９４】
撮像状態データ取得部２２１ｆは、撮像状態データを内視鏡システム１０から取得する。データ記録部２２５は、撮像状態データ取得部２２１ｆにより取得される撮像状態データの推移を検査データ保持部２３２に記録する。本実施の形態では撮像状態データ取得部２２１ｆは撮像状態データの時系列データを取得し、データ記録部２２５は取得される時系列データをそのまま、または加工して検査データ保持部２３２に記録する。
【００９５】
図１６は、マスタ情報保持部２３１に保持される撮像状態マスタテーブル２３１ｆの一例を示す図である。図１６に示す例では、分類Ａの「体腔内臓器を十分に観察できる画像」をさらに、観察良好＝０と、観察可能＝１の２種類に細分類している。また分類Ｂの「体腔内臓器を十分に観察できない画像」をさらに、残渣、液体、送水＝２、ハレーション＝３、色ずれ＝４、焦点外れ（ボケ）、ぶれ＝５、判定不能＝６の５種類に細分類している。従って撮像状態が合計７つのカテゴリに分類される。なお、残渣は腸管洗浄等の前処置の成功の程度を反映し、下部内視鏡検査の質の評価において重要視されることもあるため、残渣＝７として独立したカテゴリとして合計８つのカテゴリに分類してもよい。
【００９６】
撮像状態マスタテーブル２３１ｆと同じテーブルが内視鏡システム１０の撮像状態分類部１２３ｄにも設けられる。撮像状態分類部１２３ｄは所定の時間間隔で内視鏡画像の撮像状態を検出し、検出結果を撮像状態マスタテーブルを参照して番号に変換し、データ送出部１２５に渡す。
【００９７】
図１７は、検査データ保持部２３２に記録される検査データ２３２ｃの一例を示す図である。図１７に示す例はデータ記録部２２５が、照射光種別データ取得部２２１ａ、薬剤散布データ取得部２２１ｂ、処置実施データ取得部２２１ｃ、および撮像状態データ取得部２２１ｆにより取得された照射光種別データ、薬剤散布データ、処置実施データ、および撮像状態データの時系列データをそのまま検査データ保持部２３２に記録した例である。
【００９８】
この例では検査開始から検査終了まで１秒単位で観察光、薬剤散布、処置、撮像状態に関するデータが時系列的に記録される。図１７に示す例では検査開始時点で焦点外れ、またはぶれが検出され、検査開始から１秒経過時点で色ずれが検出され、検査開始から２秒経過時点で観察良好な状態になっている。検査開始直後の内視鏡１１が口から食道に移動する間は、撮像される画像がブレやすくなる。また検査開始から７００秒経過時点で送水がなされており、十分な観察ができない撮像状態になっている。
【００９９】
（実施の形態３の応用例）
実施の形態３に係る以上の説明では、撮像状態分類部１２３ｄは、フレーム画像単体から静的な撮像状態を検出して撮像状態を分類した。以下に説明する応用例ではフレーム画像間の変化にもとづき動的な撮像状態を検出して撮像状態を分類する。
【０１００】
撮像状態分類部１２３ｄは、時系列的に撮像される内視鏡画像においてフレーム画像間の変化に基づく評価値を算出する。フレーム画像間の変化に基づく評価値は例えば、特許５１４７３０８号に記載した方法により算出できる。以下、算出した評価値を変化評価値Ｐとする。
【０１０１】
変化評価値Ｐの算出は、薬剤散布検知部１２３ａおよび処置実施検知部１２３ｂによる薬剤および処置具の画像認識処理と同期して、Ｎ秒またはＮフレームおきに実行する。その際、現在のフレーム画像と、Ｎ秒またはＮフレーム過去のフレーム画像との変化に基づき変化評価値Ｐを算出してもよいし、現在のフレーム画像と直前のフレーム画像との変化に基づき変化評価値Ｐを算出してもよい。撮像状態分類部１２３ｄは、算出した変化評価値Ｐをもとに動的な撮像状態を検出して分類する。
【０１０２】
変化評価値Ｐはフレーム画像間の変化が小さいほど小さな値をとり、内視鏡１１の動きが小さいことを示している。医師が内視鏡１１の動きを止めて特定の部位を観察している場合、変化評価値Ｐは０に近い値をとる。
【０１０３】
撮像状態分類部１２３ｄは、薬剤散布検知部１２３ａおよび処置実施検知部１２３ｂによる薬剤および処置具の画像認識処理と同期して、Ｎ秒またはＮフレームおきに内視鏡画像の静的および動的な撮像状態を検出してそれぞれカテゴリ分類し、分類結果をデータ送出部１２５に渡す。データ送出部１２５は、照射光種別データ、薬剤散布データ、および処置実施データに加えて、撮像状態分類部１２３ｄから渡された静的撮像状態データおよび動的撮像状態データを、ネットワーク２を介して内視鏡検査データ記録装置２０に送出する。
【０１０４】
撮像状態データ取得部２２１ｆは、静的撮像状態データおよび動的撮像状態データを内視鏡システム１０から取得する。データ記録部２２５は、撮像状態データ取得部２２１ｆにより取得される静的撮像状態データおよび撮像状態データの推移を検査データ保持部２３２に記録する。本実施の形態では撮像状態データ取得部２２１ｆは、静的撮像状態データおよび動的撮像状態データの時系列データを取得し、データ記録部２２５は取得される時系列データをそのまま、または加工して検査データ保持部２３２に記録する。
【０１０５】
図１８は、マスタ情報保持部２３１に保持される変化評価値・撮像状態マスタテーブル２３１ｇの一例を示す図である。図１８に示す例では、上述の静的な撮像状態の分類処理において分類Ａに分類された画像が動的な撮像状態の分類処理の対象となり、静的な撮像状態の分類処理において分類Ｂに分類された画像は動的な撮像状態の分類処理の対象とならない。
【０１０６】
分類Ａに分類された「体腔内臓器を十分に観察できる画像」の内、画像評価値Ｐが０．０≦Ｐ＜０．３の範囲の画像（分類Ａａ）は、動的な撮像状態が観察良好＝０に分類される。画像評価値Ｐが０．３≦Ｐ＜０．８の範囲の画像（分類Ａｂ）は、動的な撮像状態が観察可能＝１に分類される。画像評価値Ｐが０．８≦Ｐ≦１．０の範囲の画像（分類Ａｃ）は、動的な撮像状態が観察不適＝２に分類される。
【０１０７】
変化評価値・撮像状態マスタテーブル２３１ｇと同じテーブルが内視鏡システム１０の撮像状態分類部１２３ｄにも設けられる。撮像状態分類部１２３ｄは所定の時間間隔で内視鏡画像間の変化評価値Ｐを算出し、変化評価値・撮像状態マスタテーブルを参照して番号に変換し、データ送出部１２５に渡す。なお静的な撮像状態を分類Ａに分類した内視鏡画像については、変化評価値Ｐの算出をスキップしてもよい。
【０１０８】
図１９は、検査データ保持部２３２に記録される検査データ２３２ｄの一例を示す図である。図１９に示す例はデータ記録部２２５が、照射光種別データ取得部２２１ａ、薬剤散布データ取得部２２１ｂ、処置実施データ取得部２２１ｃ、および撮像状態データ取得部２２１ｆにより取得された照射光種別データ、薬剤散布データ、処置実施データ、静的撮像状態データ、変化評価値Ｐ、および動的撮像状態データの時系列データをそのまま検査データ保持部２３２に記録した例である。なお、この例では静的な撮像状態が分類Ｂに分類された内視鏡画像については、変化評価値Ｐおよび動的撮像状態データが記録されない例であるが、分類Ｂに分類された内視鏡画像についても変化評価値Ｐおよび動的撮像状態データを算出・分類して記録してもよい。
【０１０９】
図１９に示す例では検査開始から検査終了まで１秒単位で観察光、薬剤散布、処置、静的な撮像状態、変化評価値、および動的な撮像状態に関するデータが時系列的に記録される。図１９に示す例では検査開始から４秒経過時点と１３００秒経過時点で内視鏡１１が移動されており、観察不適な状態になっている。
【０１１０】
図２０は、実施の形態３の応用例に係る内視鏡システム１０の動作例を説明するためのフローチャートである。内視鏡システム１０の検査開始・終了検知部（不図示）が内視鏡検査の開始を検知すると（Ｓ１０のＹ）、その検知時刻をデータ送出部１２５に通知する。その後、体腔内挿入状態検知部（不図示）が内視鏡１１の体腔内への挿入を検知すると（Ｓ１１のＹ）、その検知時刻をデータ送出部１２５に渡す。
【０１１１】
画像認識部１２３は内視鏡１１で撮像された内視鏡画像を取得する（Ｓ１２）。撮像状態分類部１２３ｄは、取得された内視鏡画像の静的な撮像状態を検出して分類し、分類結果をデータ送出部１２５に渡す（Ｓ１２１）。撮像状態分類部１２３ｄは、今回取得された内視鏡画像と前回取得された内視鏡画像との差分をもとに変化評価値Ｐを算出し、変化評価値Ｐをデータ送出部１２５に渡す（Ｓ１２２）。撮像状態分類部１２３ｄは、算出した変化評価値Ｐをもとに今回取得された内視鏡画像の動的な撮像状態を検出して分類し、分類結果をデータ送出部１２５に渡す（Ｓ１２３）。
【０１１２】
薬剤散布検知部１２３ａは今回取得された内視鏡画像内において薬剤を探索し、処置実施検知部１２３ｂは今回取得された内視鏡画像内において処置具を探索する（Ｓ１３）。薬剤散布検知部１２３ａおよび処置実施検知部１２３ｂは探索結果をデータ送出部１２５に渡す。照射光切替制御部１２２は観察光の種別を確認する（Ｓ１４）。照射光切替制御部１２２は確認結果をデータ送出部１２５に渡す。データ送出部１２５は、観察光、薬剤、処置、静的な撮像状態、変化評価値Ｐ、および動的な撮像状態に関するデータをバッファ（不図示）に一時保持する（Ｓ１５）。
【０１１３】
体腔内挿入状態検知部（不図示）が内視鏡１１の体腔外への抜去を検知せずに（Ｓ１６のＮ）、今回の内視鏡画像の取得からＮ秒が経過すると（Ｓ１７のＹ）、ステップＳ１２に戻り、新たな内視鏡画像を取得する（Ｓ１２）。体腔内挿入状態検知部（不図示）が内視鏡１１の体腔外への抜去を検知すると（Ｓ１６のＹ）、その検知時刻をデータ送出部１２５に渡す。その後、検査開始・終了検知部（不図示）が内視鏡検査の終了を検知すると（Ｓ１８のＹ）、その検知時刻をデータ送出部１２５に通知する。データ送出部１２５は、バッファ（不図示）に蓄積された時系列データを内視鏡検査データ記録装置２０に送出する（Ｓ１９）。
【０１１４】
なおステップＳ１２２およびＳ１２３の処理は、ステップＳ１２１における静的な撮像状態の分類処理において、今回取得された内視鏡画像が分類Ｂに分類された場合、スキップ可能である。
【０１１５】
また分類Ｂに分類された内視鏡画像について変化評価値Ｐと動的撮像状態データが生成された場合であっても、ステップＳ１９における時系列データの送出処理において送出対象から除外してもよい。
【０１１６】
以上説明したように実施の形態３によれば、実施の形態１の効果に加えて以下の効果を奏する。時系列的に撮像された複数の内視鏡画像のそれぞれの撮像状態を分類して記録することにより、臓器表面等を適切に撮像しているか否か（即ち、臓器表面を十分に観察可能であるか否か）等の状態情報を定量的かつ客観的に記録できる。さらに、隣接するフレーム画像間の変化評価値を算出して記録することにより、内視鏡１１の動きを記録することができる。例えば、変化評価値の推移から内視鏡１１が挿入操作（移動）中であること、医師が臓器表面を観察している状態にあること等を推測できる。
【０１１７】
撮像状態の記録は内視鏡画像の保存を前提とするものではなく、保存されない内視鏡動画像区間、破棄される内視鏡画像についての撮像状態も記録される。撮像状態の時系列データの記録は、内視鏡検査中の医師による内視鏡１１の取り扱いを時系列的に記録することを主目的とするものであり、保存される内視鏡画像の品質を記録することを主目的とするものではない。
【０１１８】
（実施の形態４）
実施の形態４では、内視鏡検査データ記録装置２０に蓄積した内視鏡検査データの利用方法の一例を説明する。
【０１１９】
図２１は、実施の形態４に係る内視鏡検査データ記録装置２０の構成を示す図である。実施の形態４に係る内視鏡検査データ記録装置２０は、図１５に示した実施の形態３に係る内視鏡検査データ記録装置２０にデータ解析部２２４ａおよび統計データ保持部２３３が追加された構成である。以下、実施の形態４に係る処理について説明する。
【０１２０】
内視鏡検査における１検査あたりの（ａ）検査時間は、（ｂ）検査開始から患者の体腔内へ内視鏡１１が挿入されるまでの時間、（ｃ）非観察時間、（ｄ）通常観察時間、（ｅ）詳細観察時間、（ｆ）処置時間、（ｇ）患者の体腔外へ内視鏡１１を抜去してから検査終了までの時間の合計で定義できる。
【０１２１】
（ｃ）非観察時間とは、患者の臓器の拍動、呼気や観察部位の収縮による画像の乱れ（ハレーション等）、等により医師が十分な観察をできない時間をいう。（ｄ）通常観察時間とは、観察部位を比較的ゆっくりと移動しながら、あるいはスコープの移動を止めた状態で比較的遠めの観察距離から病変の有無を観察する時間をいう（詳細観察時間に分類される時間を除く）。（ｅ）詳細観察時間とは、近接観察、ＮＢＩ観察、拡大観察、薬剤散布など病変を発見した場合に注意して観察する時間をいう。（ｆ）処置時間とは、生検、ステント留置・抜去、ＥＭＲなどの各種処置を実施する時間をいう。
【０１２２】
データ算出部２２４は検査時間（ａ）を、検査データ保持部２３２に保持される対象となる内視鏡検査の検査開始時刻と検査終了時刻から算出する。またデータ算出部２２４は（ｂ）検査開始から患者の体腔内へ内視鏡１１が挿入されるまでの時間を、検査データ保持部２３２に保持される当該内視鏡検査の検査開始時刻と内視鏡挿入時刻から算出する。
【０１２３】
またデータ算出部２２４は（ｃ）非観察時間を、検査データ保持部２３２に保持される当該内視鏡検査の撮像状態データをもとに算出する。例えば、静的な撮像状態の分類処理において「体腔内臓器を十分に観察できない画像」＝分類Ｂに分類された内視鏡画像、および動的な撮像状態の分類処理において観察不適に分類された内視鏡画像が撮像されている区間の合計時間を（ｃ）非観察時間とする。
【０１２４】
またデータ算出部２２４は（ｅ）詳細観察時間を、検査データ保持部２３２に保持される当該内視鏡検査における特殊光の照射時間、拡大内視鏡を使用した拡大観察時間、薬剤を使用しての観察時間等をもとに算出する。またデータ算出部２２４は（ｆ）処置時間を、検査データ保持部２３２に保持される当該内視鏡検査で実施された処置の実施時間をもとに算出する。またデータ算出部２２４は（ｇ）患者の体腔外へ内視鏡１１を抜去してから検査終了までの時間を、検査データ保持部２３２に保持される当該内視鏡検査の内視鏡抜去時刻と検査終了時刻から算出する。
【０１２５】
またデータ算出部２２４は（ｄ）通常観察時間を、（ａ）検査時間から、（ｂ）検査開始から患者の体腔内へ内視鏡１１が挿入されるまでの時間、（ｃ）非観察時間、（ｄ）通常観察時間、（ｅ）詳細観察時間、（ｆ）処置時間、（ｇ）患者の体腔外へ内視鏡１１を抜去してから検査終了までの時間の合計を減算することにより算出する。
【０１２６】
データ算出部２２４は、算出した（ａ）検査時間、（ｂ）検査開始から患者の体腔内へ内視鏡１１が挿入されるまでの時間、（ｃ）非観察時間、（ｄ）通常観察時間、（ｅ）詳細観察時間、（ｆ）処置時間、（ｇ）患者の体腔外へ内視鏡１１を抜去してから検査終了までの時間を検査データ保持部２３２に記録する。
【０１２７】
データ解析部２２４ａは、検査データ保持部２３２に記録されたデータをもとに統計解析を実行し、生成した統計データを統計データ保持部２３３に記録する。
【０１２８】
図２２は、統計データ保持部２３３に記録される統計データ２３３ａの一例を示す図である。この例ではデータ解析部２２４ａは、検査項目、部位、および病変種で内視鏡検査の検査データを分類し、分類ごとに（ｃ）非観察時間、（ｄ）通常観察時間、（ｅ）詳細観察時間、（ｆ）処置時間のそれぞれの平均値を算出している。
【０１２９】
図２２に示す例では、検査項目＝上部内視鏡検査、観察部位＝胃、病変＝ポリープに分類される内視鏡検査の（ｃ）非観察時間、（ｄ）通常観察時間、（ｅ）詳細観察時間、（ｆ）処置時間の平均時間と、検査項目＝下部内視鏡検査、観察部位＝Ｓ字状結腸、病変＝腺腫に分類される内視鏡検査の（ｃ）非観察時間、（ｄ）通常観察時間、（ｅ）詳細観察時間、（ｆ）処置時間の平均時間がそれぞれ算出されている。さらに検査項目＝上部内視鏡検査、観察部位＝胃、病変＝ポリープに分類される内視鏡検査の病変発見率と、検査項目＝下部内視鏡検査、観察部位＝Ｓ字状結腸、病変＝腺腫に分類される内視鏡検査の病変発見率がそれぞれ算出されている。
【０１３０】
このような統計データを生成することにより、内視鏡検査の分類ごとに内視鏡検査の特徴を調査することができる。また内視鏡検査の分類ごとに、内視鏡１１の操作・手技の難易度を定量化でき、検査プロトコルの作成や手技の改良に活用することができる。また、どの時間を多くかけることが病変の発見に大きく寄与するかを検討・調査することも可能となる。
【０１３１】
図２３は、実施の形態４に係る内視鏡検査データ記録装置２０の動作例を説明するためのフローチャートである。データ算出部２２４は、検査データ保持部２３２から内視鏡検査の各種データを読み込む（Ｓ２２４０）。データ算出部２２４は、読み込んだ各種データをもとに各種所要時間（（ａ）検査時間、（ｂ）検査開始から患者の体腔内へ内視鏡１１が挿入されるまでの時間、（ｃ）非観察時間、（ｅ）詳細観察時間、（ｆ）処置時間、（ｇ）患者の体腔外へ内視鏡１１を抜去してから検査終了までの時間）を算出する（Ｓ２２４１）。
【０１３２】
データ算出部２２４は、（ａ）検査時間−｛（ｂ）検査開始から患者の体腔内へ内視鏡１１が挿入されるまでの時間＋（ｃ）非観察時間＋（ｅ）詳細観察時間＋（ｆ）処置時間、（ｇ）患者の体腔外へ内視鏡１１を抜去してから検査終了までの時間｝を計算して、（ｄ）通常観察時間を算出する（Ｓ２２４２）。データ算出部２２４は、算出された各種所要時間を検査データ保持部２３２に保存する（Ｓ２２４３）。データ算出部２２４は、以上の処理を原則的に全ての内視鏡検査の検査データについて実行する。
【０１３３】
データ解析部２２４ａは内視鏡検査の分類ごとに、検査データ保持部２３２から各種所要時間を読み込む（Ｓ２２４４）。データ算出部２２４は、読み込んだ各種所要時間の統計値（例えば、平均値、中央値）を算出する（Ｓ２２４５）。データ解析部２２４ａは、算出した各種所要時間の統計値を統計データ保持部２３３に保存する（Ｓ２２４６）。データ解析部２２４ａは以上の処理を、指定された内視鏡検査の分類について実行する。
【０１３４】
以上説明したように実施の形態４によれば、内視鏡検査における各時点の状態を示すデータが時系列的に記録されているため、内視鏡検査における各種所要時間を正確に算出できる。従って内視鏡検査の過程を客観的に評価でき、医師の癖や改善点の発見等に活用できる。また複数の内視鏡検査において同じ仕様のデータが収集されるため内視鏡検査における客観的な統計データを算出することができる。従って検査プロトコルの作成や改善に活用できる。また学術データとしても活用できる。
【０１３５】
（実施の形態５）
実施の形態５では、内視鏡１１により撮像された内視鏡画像に部位情報を付与する方法を説明する。
【０１３６】
図２４は、実施の形態５に係る内視鏡検査データ記録装置２０の構成を示す図である。実施の形態５に係る内視鏡検査データ記録装置２０は、図３に示した実施の形態１に係る内視鏡検査データ記録装置２０に画像取得部２２１ｇおよび部位情報付与部２２６が追加された構成である。以下、実施の形態５に係る処理について説明する。
【０１３７】
実施の形態１−４では内視鏡１１により撮像された内視鏡画像を、内視鏡システム１０から内視鏡検査データ記録装置２０に転送する処理を必須としなかったが、実施の形態５では内視鏡画像の転送を必須とする。転送対象となる内視鏡画像は医師によりレリーズ、またはフットスイッチの操作によりシャッターが切られて撮像された静止画像である。当該静止画像は保存用の画像であり、それらの画像の内、医師により選択された画像はレポートに添付される。なお、内視鏡動画像の内視鏡システム１０から内視鏡検査データ記録装置２０への転送は必須ではない。
【０１３８】
画像取得部２２１ｇは、医師の操作により内視鏡１１で撮像された複数の内視鏡画像を内視鏡システム１０から取得する。部位情報付与部２２６は、取得された内視鏡画像に部位情報（例えば十二指腸、胃、食道）を付与する。部位情報は例えば、以下の方法により付与することができる。
【０１３９】
部位情報付与部２２６は、医師または看護師により手動で入力された部位情報を付与する。具体的には表示制御部２２３は、画像取得部２２１ｇにより取得された内視鏡画像を検査中または検査後に、内視鏡システム１０の表示装置１３または端末装置３０の表示部３４に表示させる。医師または看護師は表示された内視鏡画像に、その内視鏡画像がどの部位の画像であるかを手動で入力する。内視鏡検査データ記録装置２０の操作受付部２２２は、医師または看護師により入力された部位情報を受け付け、部位情報付与部２２６に渡す。
【０１４０】
また部位情報付与部２２６は、内視鏡画像から画像認識により部位を特定することもできる。例えば取得した内視鏡画像と、各部位のパターンデータをマッチングして部位を特定する。なお画像認識により部位を特定できなかった内視鏡画像については医師または看護師が手動で入力する。
【０１４１】
また部位情報付与部２２６は、検査プロトコルに規定された部位の撮影順に従い、内視鏡画像に部位情報を付与することもできる。検査プロトコルとは、観察する部位、観察時の注意事項、記録すべき静止画の条件等を順序立てて手順化したものであり、ルーチン検査を実施する場合に使用される。例えば、上部内視鏡検査では内視鏡１１を最初に十二指腸まで挿入し、食道の方向に内視鏡１１を戻してくるように観察する手順が用いられている。
【０１４２】
図２５（ａ）−（ｂ）は、内視鏡画像に撮影順に部位情報を付与するための部位特定画面５０の一例を示す図である。内視鏡検査データ記録装置２０の表示制御部２２３は部位特定画面５０を内視鏡システム１０の表示装置１３または端末装置３０の表示部３４に表示させる。図２５（ａ）に示す部位特定画面５０は、内視鏡画像に部位情報が付与される前の画面である。この例に示す上部内視鏡検査の検査プロトコルでは、（１）十二指腸、（２）十二指腸、（３）胃（幽門）、（４）胃（胃体部）、（５）胃（胃角部）、（６）胃（噴門）、（７）食道（下部）、（８）食道（中部）、（９）食道（上部）、（１０）咽喉部の順番に１０枚の内視鏡画像を撮影することが規定されている。
【０１４３】
１枚目の内視鏡画像欄５１の部位情報欄５１ａに十二指腸が設定され、・・・、４枚目の内視鏡画像欄５４の部位情報欄５４ａに胃（胃体部）が設定され、・・・、１０枚目の内視鏡画像欄５１０の部位情報欄５１０ａに咽喉部が設定される。
【０１４４】
医師は、上部内視鏡検査の検査プロトコルに従い内視鏡１１を十二指腸の奥まで挿入し、規定された部位の画像を順番に撮影していく。図２５（ｂ）に示すように１番目に撮影された画像は１枚目の内視鏡画像欄５１に割り当てられる。医師がＯＫボタン５０ａを押下すると画像の割り当てが確定する。割り当てられた内視鏡画像に写っている部位と、割り当てられた欄の部位情報が一致しない場合、キャンセルボタン５０ｂを押下することにより割り当てをキャンセルできる。
【０１４５】
図２５（ｂ）に示す例では、医師は胃（胃角部）の撮影をスキップしている。例えば、３枚目の胃（幽門）の内視鏡画像が割り当てられた段階（４枚目の胃（胃角部）の内視鏡画像の割り当てを待っている段階）で、ＯＫボタン５０ａを押下すると胃（胃角部）の内視鏡画像の割り当てをスキップできる。以上に説明した検査プロトコルに規定された部位の撮影順序に従い、内視鏡１１で撮影された内視鏡画像に部位情報を付与する処理は、内視鏡検査中に同時並行で行ってもよいし、検査後に行ってもよい。
【０１４６】
図２６は、実施の形態５に係る内視鏡検査データ記録装置２０の動作例を説明するためのフローチャートである。この動作例は、検査プロトコルで規定された部位の撮影順に従い実際に撮影された内視鏡画像に部位情報を付与する例である。画像取得部２２１ｇは、内視鏡検査において撮影された内視鏡画像を内視鏡システム１０から撮影順に取得する（Ｓ２２６０）。部位情報付与部２２６は、検査プロトコルで規定された部位の撮影順に従い、内視鏡システム１０から取得された内視鏡画像に部位情報を付与する（Ｓ２２６１）。部位情報付与部２２６は、部位情報が付与された内視鏡画像を、ネットワーク２を介して画像記録装置（不図示）に転送する（Ｓ２２６２）。なお内視鏡検査データ記録装置２０に内視鏡画像も保存する場合は、記憶部２３内の画像保持部（不図示）に保存する。
【０１４７】
以上説明したように実施の形態５によれば、内視鏡検査において撮像された保存用の内視鏡画像に対して簡単に部位情報を付与することができる。特に検査プロトコルで規定された部位の撮影順に従い内視鏡画像に部位情報を付与する方法では、医師が意識的に検査プロトコルを順守する動機付けにもなる。手動で部位情報を入力する必要がないため医師や看護師による煩雑な作業が不要となる。また画像認識処理により内視鏡画像から部位を検出する方法は部位を誤認識する可能性があるが、撮影順に従い内視鏡画像に部位情報を付与する方法では、医師が撮影順を順守していれば誤った部位情報が付与されることがない。
【０１４８】
（実施の形態６）
実施の形態１に係る内視鏡検査データ記録装置２０のデータ算出部２２４は、各種時系列データをもとに、各照射光の使用時間、各照射光の使用回数、各薬剤を使用しての観察時間、各薬剤を使用した回数、各処置の実施時間、および各処置の実施回数を算出した。この算出の基礎として使用される時系列データは、対象となる内視鏡検査の全期間（検査開始時刻から検査終了時刻までの期間）のデータである。
【０１４９】
実施の形態５ではデータ算出部２２４は、内視鏡検査における指定された２地点間の、各照射光の使用時間、各照射光の使用回数、各薬剤を使用しての観察時間、各薬剤を使用した回数、各処置の実施時間、および各処置の実施回数の少なくとも１つを算出する。内視鏡検査における２地点は、時刻、検知情報、撮像画像などで指定できる。
【０１５０】
図２７は、内視鏡検査における２地点の指定画面６０の一例を示す図である。内視鏡検査データ記録装置２０の表示制御部２２３は、２地点の指定画面６０を内視鏡システム１０の表示装置１３または端末装置３０の表示部３４に表示させる。指定画面６０は任意ボタン６１  観察光ボタン６２、薬剤ボタン６３、処置ボタン６４を含む。
【０１５１】
任意ボタン６１は２地点を時刻で指定するためのボタンである。観察光ボタン６２は観察光の種別を選択し、選択された観察光の使用開始時刻と使用終了時刻を２地点として指定するためのボタンである。薬剤ボタン６３は薬剤の種別を選択し、選択された薬剤を使用した観察開始時刻と観察終了時刻を２地点として指定するためのボタンである。処置ボタン６４は処置の種別を選択し、選択された処置の実施開始時刻と実施終了時刻を２地点として指定するためのボタンである。
【０１５２】
図２７は、医師または看護師により薬剤ボタン６３が押下され、薬剤の選択ウインドウ６３ａが表示された状態を描いている。例えばルゴールが選択されると、ルゴールを散布した状態での観察開始時刻と観察終了時刻が２地点として指定される。
【０１５３】
内視鏡検査における２地点は、２つの部位情報を選択することによっても指定できる。実施の形態５で説明したように内視鏡画像に部位情報が付与されている場合、部位情報が付与された２枚の内視鏡画像を選択することによっても、２地点を指定できる。
【０１５４】
図２８は、内視鏡検査における部位間選択画面７０の一例を示す図である。内視鏡検査データ記録装置２０の表示制御部２２３は、部位間選択画面７０を内視鏡システム１０の表示装置１３または端末装置３０の表示部３４に表示させる。部位間選択画面７０は、第１エリア７１、第２エリア７２を有する。
【０１５５】
第１エリア７１は、２つの部位名を選択して部位間を選択するエリアである。図２８は第１選択欄７１ａのプルダウンメニューから胃（幽門）が選択され、第２選択欄７１ｂのプルダウンメニューから胃（噴門）が選択された例を描いている。
【０１５６】
第２エリア７２は、部位情報が付加されている複数の内視鏡画像から２つの内視鏡画像を選択して２つの部位を選択し、部位間を選択するエリアである。図２８は、３番目に撮影された胃（幽門）の内視鏡画像７２ａと、６番目に撮影された胃（噴門）の内視鏡画像７２ｂが選択された例を描いている。
【０１５７】
以上説明したように実施の形態６によれば、内視鏡検査における任意の２つの地点間における観察時間等を算出できるため、内視鏡検査のきめ細かな分析や評価が可能となる。例えば胃の観察において噴門、胃体部、胃角部、等の部位ごとの観察時間を算出できるため、きめ細かな分析や評価が可能となる。例えば、観察手順が検査プロトコルに沿って、標準時間通りに行われているか分析できる。
【０１５８】
（実施の形態７）
経験が浅い非熟練医師が内視鏡検査を行った場合、検査後に熟練医師が指導を兼ね、所見の見落としが無いか、診断の誤りが無いか、撮影／検査が正しく行われているか等のチェック（ダブルチェック）を行うことが一般的である。そのためには非熟練医師の検査に熟練医師が立ち会う必要があるが、実際の医療現場では、常に熟練医師が立ち会うことは難しく効率的でもない。そのため、モニタ室等で全検査室の検査状況を一括表示することが行われている。この場合、内視鏡１１で撮像された動画像をリアルタイムに表示することが多い。複数の検査室の情報が並行して表示されても、全ての情報を詳細に把握することは困難である。また、非熟練医師の内視鏡検査のスキルアップの面からも検査中のプロセスを評価することが重要である。
【０１５９】
そこで実施の形態７では、内視鏡検査の各時点の状態を示すデータを記録するとともにリアルタイムにモニタに表示させる。これにより非熟練医師の評価（ダブルチェック）や指導を効率的に支援することができ、非熟練医師のスキルアップにも寄与する。
【０１６０】
実施の形態７では内視鏡システム１０のデータ送出部１２５は、照射光切替制御部１２２から渡された照射光種別データ、薬剤散布検知部１２３ａから渡された薬剤散布データ、および処置実施検知部１２３ｂから渡された処置実施データをリアルタイムに、ネットワーク２を介して内視鏡検査データ記録装置２０に送出する。即ちバッファ（不図示）にデータを蓄積せずに、渡されたデータを逐次送出する。
【０１６１】
上述したように内視鏡検査データ記録装置２０の照射光種別データ取得部２２１ａ、薬剤散布データ取得部２２１ｂ、および処置実施データ取得部２２１ｃによりそれぞれ取得されるデータの推移は、データ記録部２２５により検査データ保持部２３２に記録される。それと共に当該データの推移は、表示制御部２２３により端末装置３０に転送され、表示部３４の画面に表示される。表示制御部２２３は当該画面に内視鏡検査の各時点の状態を示すデータの推移とともに、当該内視鏡検査で撮像された画像を併せて表示させてもよい。内視鏡動画像をリアルタイムに表示し続けてもよいし、医師の操作により撮影された静止画像を表示させてもよい。なお、当該画面と同じ画面を内視鏡システム１０の表示装置１３に表示させてもよい。その場合、検査を実施している医師本人が当該画面を見ることができる。
【０１６２】
図２９は、内視鏡検査の推移をデータで表した画面例の第１状態（検査開始直後）を示す図である。図３０は、内視鏡検査の推移をデータで表した画面例の第２状態（検査開始から５分経過時）を示す図である。図３１は、内視鏡検査の推移をデータで表した画面例の第３状態（検査開始から１１分経過時）を示す図である。図３２は、内視鏡検査の推移をデータで表した画面例の第４状態（検査終了時）を示す図である。
【０１６３】
図２９−図３２に示す画面３４ａ−３４ｄでは、使用中の観察光の種別が模様で表現されている。なお観察光の種別を色分けで表現してもよい。またレリーズが切られたタイミング、薬剤が散布されたタイミング等のイベント発生時に、イベント内容と時刻情報が表示される。またレリーズが切られて撮像された内視鏡画像が、そのレリーズが切られた時点に対応する位置に表示される。以上のような内視鏡検査の各時点の状態を示すデータが内視鏡検査の進行とともに画面内に追加されていく。
【０１６４】
なお画面３４ａ−３４ｄに検査プロトコル(挿入方法、観察部位、観察方法、撮影タイミング等)を表示させ、検査プロトコル通りに内視鏡検査が実施されているかを確認できるようにしてもよい。
【０１６５】
なお複数の検査室で内視鏡検査が同時並行で行われている場合、各内視鏡検査の推移を示すデータを、画面分割で表示してもよい。また複数のモニタを用意し、それぞれのモニタに表示してもよい。
【０１６６】
以上説明したように実施の形態７によれば、内視鏡検査の推移を示す時系列データを記録するだけでなく、そのデータをリアルタイムに経時的にモニタに表示させることにより、検査がどのように進んでいるかをモニタリングすることができ、検査プロトコルへの準拠状態や時間的な進行度合い等を確認することができる。従ってミスの防止や検査の進行状況・効率を把握することが可能となる。また内視鏡システム１０の表示装置１３に表示した場合、検査を実施している医師がプロセスの確認ができ、自己評価もできる。
【０１６７】
（実施の形態８）
実施の形態８では、医師が検査プロトコルを遵守して検査を実施するための仕組みを提案する。実施の形態５に関して説明したように、検査の手順を規定した検査プロトコルを定めた医療施設においては、医師が、検査プロトコルにしたがって検査を実施することが求められる。そこで実施の形態８では、検査室に、内視鏡処理装置１２から入力される患者の体内画像をリアルタイム表示する表示装置１３とは別の表示装置を用意し、その表示装置に、検査プロトコルで規定される複数のタスクを表示して、医師が、検査プロトコルにしたがって検査を実施するための案内支援を行う。
【０１６８】
図３３は、実施の形態８に係る内視鏡システム１０の構成を示す図である。内視鏡システム１０は内視鏡１１、内視鏡処理装置１２、表示装置１３、光源装置１４および表示装置１５を備える。
【０１６９】
検査中、表示装置１３は、内視鏡１１により撮像されている患者の体内の画像をリアルタイムに表示し、医師は表示装置１３に表示される画像を見ながら検査を実施する。実施の形態８において表示装置１５は検査室に配置されて、内視鏡検査の検査プロトコルを医師に提示する。そのため医師が体内画像と検査プロトコルとを同時に、または視線を大きく変更することなく見ることができるように、表示装置１５は表示装置１３の近傍に配置されることが好ましい。なお図３３において、表示装置１３と表示装置１５とは別個の表示装置として示しているが、単一の表示装置であってもよい。この場合、表示装置１３の一部の表示領域に、検査プロトコルが表示されることになる。特に表示装置１３が大画面ディスプレイを有していれば、表示装置１３の一部の表示領域に、検査プロトコルを表示することが好ましい。
【０１７０】
実施の形態８において、内視鏡処理装置１２は、内視鏡検査データ記録装置２０から、検査プロトコル画面を提供され、表示装置１５に表示させる。検査プロトコル画面には、複数のタスクが、実施順序にしたがってリスト表示される。タスクは、内視鏡検査において医師が実施するべき行為であり、検査プロトコルの要素を構成する。医師がタスクを実施すると、タスクを実施したことを示す情報が内視鏡検査データ記録装置２０に送信され記録されるとともに、検査プロトコル画面においては、実施済みタスクであることを医師が理解できるように表示態様が変更される。
【０１７１】
基本的にタスクは、患者の体内のどこで、何をするか、を定めたテキスト文の形式で医師に提示される。「どこで」を表現するために、タスクには、体内の特定の部位を示す情報が含まれる。また「何をするか」を表現するために、タスクには、医師がなすべき行動を示す情報が含まれる。医師がなすべき行動は、複数カテゴリに分類され、実施の形態８では、操作、観察、撮影のカテゴリに分類される。なお実施の形態８では、操作、観察、撮影のカテゴリを設定しているが、他に処置や実施などのカテゴリを設定してもよい。検査プロトコルの要素となる各タスクには、１つのカテゴリに属することを示す属性情報が対応付けられている。
【０１７２】
操作カテゴリに属するタスクは、内視鏡１１の操作行動に関するタスクであって、内視鏡１１の特定の部位への挿入操作や、特定部位における曲げ操作や送気操作を定める。観察カテゴリに属するタスクは、医師の観察行動に関するタスクであって、特定部位の観察を定める。撮影カテゴリに属するタスクは、医師の撮影行動に関するタスクであって、特定部位の撮影を定める。ここで特定部位は、タスクに含まれる部位情報で定められる部位を意味している。以下、内視鏡検査データ記録装置２０が、検査プロトコル画面の生成機能を有するものとして説明するが、内視鏡業務支援システム１において他のサーバが検査プロトコル画面の生成機能を有してもよい。
【０１７３】
図３４は、実施の形態８に係る内視鏡検査データ記録装置２０の構成を示す図である。実施の形態８に係る内視鏡検査データ記録装置２０において、制御部２２は、データ取得部２２１、操作受付部２２２、表示制御部２２３、データ記録部２２５、実施タスク検出部２４０、未実施タスク検出部２４１、状況変化検知部２４２、表示設定部２４３を備えて構成される。データ取得部２２１は、照射光種別データ取得部２２１ａ、画像取得部２２１ｇ、患者データ取得部２２１ｈおよび完了データ取得部２２１ｉを有する。記憶部２３は、検査データ保持部２３２、検査プロトコル保持部２３４および設定情報保持部２３５を備える。検査プロトコル保持部２３４は、内視鏡検査において医師が実施するべき複数のタスクを記憶する。
【０１７４】
検査開始前、内視鏡処理装置１２は、内視鏡検査データ記録装置２０に対して、検査プロトコル画面の表示要求を送信する。内視鏡検査データ記録装置２０は、表示要求を受けると検査プロトコル画面を生成して、内視鏡処理装置１２に送信する。なお検査開始時、内視鏡検査データ記録装置２０は、検査プロトコル画面を生成して、検査プロトコル画面の表示指示を内視鏡処理装置１２に送信してもよい。この場合、内視鏡検査データ記録装置２０は、検査開始検知データを取得したときに、検査プロトコル画面を生成して、内視鏡処理装置１２に表示指示とともに送信してもよい。また内視鏡検査データ記録装置２０は、内視鏡処理装置１２から検査開始検知データを取得したときに、内視鏡処理装置１２に対して検査プロトコル画面の表示指示を送信し、これを受けて内視鏡処理装置１２が内視鏡検査データ記録装置２０に表示要求を送信すると、内視鏡検査データ記録装置２０が、検査プロトコル画面を生成して、内視鏡処理装置１２に送信してもよい。これらいずれかの手順により内視鏡処理装置１２が、検査プロトコル画面を表示装置１５に表示して、医師が検査プロトコルを確認できるようにする。以下、詳細を説明する。
【０１７５】
内視鏡検査データ記録装置２０において、操作受付部２２２が、検査プロトコルの表示要求を受け付けると、表示制御部２２３に、検査プロトコル画面の生成を指示する。なお操作受付部２２２は、検査振り分けなどの検査開始操作をトリガーにして、表示制御部２２３に、検査プロトコル画面の生成を指示してもよい。また内視鏡検査データ記録装置２０の検査開始・終了データ取得部（不図示）が、検査開始検知データを受け付けると、表示制御部２２３に、検査プロトコル画面の生成を指示してもよい。検査プロトコル保持部２３４は、内視鏡検査において医師が実施するべき複数のタスクを、その実施順序に関連づけて記憶している。また検査プロトコル保持部２３４は、各タスクを、複数のカテゴリのうちの１つに関連づけて記憶している。なお各タスクのカテゴリは、タスクの属性情報として記憶されていてよい。表示制御部２２３は、検査プロトコル保持部２３４に記憶された複数のタスクを読み出して検査プロトコル画面を生成し、内視鏡処理装置１２に送信して表示装置１５に表示させる。実施の形態８において、表示装置１５は、タッチ位置を検出するタッチパッドとディスプレイとから構成されるタッチパネルであり、医師や看護師などの医療従事者からのタッチ操作を受け付け可能とする。
【０１７６】
図３５は、表示装置１５に表示される検査プロトコル画面の一例を示す。検査プロトコル画面は、複数のクラス欄に分割して構成される。クラスは、たとえばスコープの位置や、臓器などによって定義される。クラス欄３００は、挿入開始時におけるタスクを表示する。クラス欄３００において、タスク表示欄３０１ａには、「操作」カテゴリに属するタスクが表示され、この例では、「口の奥を広くさせて内視鏡を挿入する。」と表示されている。
【０１７７】
クラス欄３０２は、食道に関するタスクを表示する。クラス欄３０２においては、複数のタスク表示欄３０３ａ〜３０３ｅが設けられている。タスク表示欄３０３ａには、「操作」カテゴリに属するタスクが表示され、「食道入口部を確認し、内視鏡を食道に挿入する。」と表示されている。タスク表示欄３０３ｂには、「観察」カテゴリに属するタスクが表示され、「上部食道を観察する。」と表示されている。タスク表示欄３０３ｃには、「撮影」カテゴリに属するタスクが表示され、「中部食道を撮影する。」と表示されている。タスク表示欄３０３ｄには、「撮影」カテゴリに属するタスクが表示され、「下部食道を撮影する。」と表示されている。またタスク表示欄３０３ｅには、「撮影」カテゴリに属するタスクが表示され、「食道胃接合部を撮影する。」と表示されている。
【０１７８】
クラス欄３０４は、胃に関するタスクを表示する。ここでクラス欄３０４には折り畳みマーク３０４ａが表示されており、これはクラス欄３０４が折り畳み表示されていることを示している。医師などの医療従事者が折り畳みマーク３０４ａをタッチ操作すると、クラス欄３０４に、胃に関するタスクが展開表示される。なお折り畳み表示は任意のクラスで表示可能であり、図３５に示す例では、クラス欄３０６も、折り畳み表示されている。表示装置１５のディスプレイサイズが大きくない場合に、直近のタスクに関係のないクラス欄を折り畳み表示することで、画面スペースを有効に活用できる。
【０１７９】
上記したように、検査プロトコル保持部２３４は、複数のタスクを、その実施順序に関連づけて記憶しており、表示制御部２２３は、複数のタスクを、実施順序にしたがって並べた検査プロトコル画面を生成して、表示装置１５に表示する。これにより医師は、検査プロトコル画面から、実施するべきタスクを認識するとともに、その実施順序も理解できる。なお各タスクは、操作カテゴリ、観察カテゴリ、撮影カテゴリのいずれかの属性を有しているが、表示制御部２２３は、タスクの表示に際し、カテゴリごとにタスクの表示態様を異ならせることが好ましい。たとえばカテゴリごとに、タスク表示欄の色を異ならせることで、医師が、次に実施するべきタスクのカテゴリを直観的に把握できるようになる。たとえば操作カテゴリのタスク表示欄は青色、観察カテゴリのタスク表示欄は橙色、撮影カテゴリのタスク表示欄は緑色に色づけしてもよい。また表示制御部２２３は、各タスク表示欄に含まれるテキスト文に配色を施してもよい。
【０１８０】
実施の形態８では、検査プロトコルとして、食道、胃、十二指腸の順番で検査を進めることが規定されている。この順番は一例であり、実施の形態５で説明したように、十二指腸、胃、食道の順番で検査を進めることが規定されていてもよい。検査プロトコルは、医療施設ごとに定められるものであり、観察の順番は、医療施設の検査運用にしたがうことになる。
【０１８１】
医師は、検査プロトコル画面を確認して実施するべきタスクを認識し、検査を進める。医師は、タスクを実施すると、実施したタスク表示欄をタッチする。タスク表示欄がタッチされると、そのタスク表示欄は、実施済みのタスクであることが理解できるように、元の表示態様とは異なる態様で表示されるが、そのタスク表示欄を再度タッチすると元の表示態様に復帰する。これによりタッチ操作を間違えた場合に元の表示態様に戻り、未実施タスクであることが表示態様から分かるようになる。医師によるタッチ操作は、タッチ位置座標とともに内視鏡処理装置１２から内視鏡検査データ記録装置２０に送信される。
【０１８２】
実施タスク検出部２４０は、タスクが実施されたことを検出する。内視鏡処理装置１２から、医師によるタッチ操作があったことを示す情報が送信されると、完了データ取得部２２１ｉが、タッチ位置座標を含むタッチ操作情報を取得し、実施タスク検出部２４０に提供する。実施タスク検出部２４０は、タッチ位置座標からタッチ操作がされたタスク表示欄を特定し、そのタスクが実施されたことを検出する。実施タスク検出部２４０が、タスクが実施されたことを検出すると、データ記録部２２５が、検査データ保持部２３２に、タスクが実施されたことを記録する。また実施タスク検出部２４０は、検出した実施済みタスクを表示制御部２２３に通知し、これを受けて表示制御部２２３は、実施済みタスクの表示態様を、未実施タスクの表示態様と異ならせる。実施済みタスクと未実施タスクの表示態様については、後述する。
【０１８３】
上記した例では、医師がタッチパネルをタッチすることで、実施済みタスクを指定することを説明したが、たとえば床面に設置されたフットスイッチを踏み操作することで、実施済みタスクを指定できるようにしてもよい。また実施タスク検出部２４０が画像認識機能を有し、画像取得部２２１ｇが内視鏡１１で撮像された静止画像をリアルタイムで取得する場合に、実施タスク検出部２４０が、画像取得部２２１ｇで取得した静止画像を画像解析することで、撮像部位を特定してもよい。このとき撮像部位が、撮影タスクで指定される部位であることが判定された場合に、実施タスク検出部２４０は、当該部位を撮像部位とする撮影タスクが実施されたことを検出してもよい。
【０１８４】
図３６は、表示装置１５に表示される検査プロトコル画面の別の例を示す。図３５に示す検査プロトコル画面と比較すると、図３６では、クラス欄３００に、注意情報表示欄３０１ｂが設けられ、クラス欄３０２に、補助情報表示欄３０３ｆが設けられている点で相違する。
【０１８５】
最初に補助情報表示欄３０３ｆについて説明する。検査プロトコル保持部２３４は、タスクに関する補助情報を記憶している。この補助情報は、タスクに対応しており、タスクを実施する際の要領を示すものである。補助情報表示欄３０３ｆには、タスク表示欄３０３ａに表示されたタスクに関する実施要領が表示され、この例では「梨状陥凹へ進入しないように気を付けること。」とするテキスト文が表示されている。検査プロトコル保持部２３４において、タスクに補助情報が対応付けて記憶されている場合、表示制御部２２３は、タスクに関連づけて、補助情報を表示する。ここでは該当するタスク（食道１）の近傍に補助情報を表示しており、図３６ではタスクを実施順序にしたがって上から下に並べるリスト表示形式を採用しているため、タスク（食道１）の直下に、補助情報表示欄３０３ｆを配置している。なおタスクを実施順序にしたがって左から右に並べるリスト表示形式を採用していれば、タスク（食道１）の直右に、補助情報表示欄３０３ｆを配置することになる。
【０１８６】
なお補助情報は、タスクを円滑に実施できるようにするために医師に提示する情報であり、たとえば非熟練医にとっては有用であるものの、熟練医にとっては不要なことも想定される。そこで表示設定部２４３は、補助情報を表示するか否かを設定できるようにしてもよい。この設定は医師ごとに行われ、表示設定部２４３は、医師ごとに設定した設定情報、つまり補助情報を表示するか否かを定めた情報を、設定情報保持部２３５に記録する。表示制御部２２３は、内視鏡処理装置１２から、検査を行う検査医に関する情報を取得すると、設定情報保持部２３５の設定情報を参照して、検査プロトコル画面に補助情報を含めるか否かを特定する。なお熟練医であっても、検査プロトコル画面に補助情報を含めてもよく、設定情報をどのように定めるかは、医療施設の運用指針にしたがってよい。
【０１８７】
次に注意情報表示欄３０１ｂについて説明する。注意情報表示欄３０１ｂは、患者の属性情報に応じて表示される。患者データ取得部２２１ｈは、図示しない管理サーバから、患者データを取得する。なお管理サーバは、検査のオーダ情報や、患者の属性情報などを保持するサーバであり、内視鏡１１で撮像された内視鏡画像を記録するデータベースを備えてもよい。内視鏡検査では、患者の状態によって注意するべき事項が存在しており、検査プロトコル保持部２３４は、タスクに関する注意情報を、患者の属性情報に関連づけて記憶している。
【０１８８】
たとえば、アルコール多飲者や喫煙者は、咽頭癌のリスクが高いことが知られている。そのため患者の属性情報として、アルコール多飲者、喫煙者などの情報が含まれている場合には、表示制御部２２３は、かかる属性情報に対応付けられている注意情報を検査プロトコル保持部２３４から読み出して、検査プロトコル画面に含める。図３６において、注意情報表示欄３０１ｂには、タスク表示欄３０１ａに表示されたタスクに関する注意情報が表示され、この例では「咽頭癌リスク患者のため咽頭癌もよく観察すること。」とするテキスト文が表示されている。このように患者の属性情報に応じて、表示制御部２２３が、注意情報をタスクに関連づけて表示することで、医師は、より注意するべきポイントを明確に理解できる。
【０１８９】
図３５に関して、表示制御部２２３が、カテゴリごとにタスクの表示態様を異ならせることを説明したが、注意情報表示欄、補助情報表示欄の表示態様も異ならせてよい。
【０１９０】
図３７は、表示装置１５に表示される検査プロトコル画面の別の例を示す。図３６に示す検査プロトコル画面と比較すると、図３７では、撮影タスクのタスク表示欄に、見本画像３１０が表示されている。表示制御部２２３は、撮影に関するタスクを表示する際に、見本となる内視鏡画像を表示してもよい。ここではタスク表示欄３０３ｃに見本画像３１０ａが、タスク表示欄３０３ｄに見本画像３１０ｂが、タスク表示欄３０３ｅに見本画像３１０ｃが、それぞれ表示されている。このように見本画像３１０を検査プロトコル画面に含めることで、非熟練医は、どのような画像を撮影すればよいか参考にできる。なお表示設定部２４３は、見本画像を表示するか否かを設定できるようにしてもよい。この設定は医師ごとに行われ、表示設定部２４３は、医師ごとに設定した設定情報、つまり見本画像を表示するか否かを定めた情報を、設定情報保持部２３５に記録する。表示制御部２２３は、内視鏡処理装置１２から、検査を行う検査医に関する情報を取得すると、設定情報保持部２３５の設定情報を参照して、検査プロトコル画面に見本画像を含めるか否かを特定する。これにより、見本画像３１０を必要とする検査医に対してのみ、見本画像３１０を提示することが可能となる。
【０１９１】
以下、実施済みタスクと未実施タスクの表示態様について説明する。
上記したように実施タスク検出部２４０がタスクの実施を検出すると、表示制御部２２３は、実施済みタスクの表示態様を、未実施タスクの表示態様と異ならせる。
【０１９２】
図３８は、実施済みタスクの表示態様の一例を示す。この例では、タスク表示欄３０１ａのタスク、タスク表示欄３０３ａのタスク、タスク表示欄３０３ｂのタスクが実施済みとされ、また注意情報表示欄３０１ｂの注意情報、補助情報表示欄３０３ｆの補助情報が確認済みとされている。表示制御部２２３は、かかる表示欄の色を、未実施タスクの表示欄の色と異ならせることで、医師に、実施済みタスクを認識させるようにする。たとえば実施済みタスク、また確認済み注意情報、確認済み補助情報の表示欄は、同じ色（たとえばグレー）で表示されてよい。これにより医師は、実施済みタスクと未実施タスクとを容易に区別できる。なお医師がグレー表示された表示欄をタッチすると、未実施タスクの色に変更されて、実施済みに選択された状態が解除されてよい。
【０１９３】
図３９は、実施済みタスクの表示態様の別の例を示す。この例でも、タスク表示欄３０１ａのタスク、タスク表示欄３０３ａのタスク、タスク表示欄３０３ｂのタスクが実施済みとされ、また注意情報表示欄３０１ｂの注意情報、補助情報表示欄３０３ｆの補助情報が確認済みとされている。表示制御部２２３は、かかる表示欄に対して、実施済みであることを示す実施済みマーク３１１ａ〜３１１ｅを付加する。これにより医師は、実施済みタスクを認識できる。なお表示制御部２２３は、実施済みマーク３１１の代わりに、表示欄中のテキスト文に取消線を付加して、実施済みタスクを表現してもよい。
【０１９４】
図４０は、実施済みタスクの表示態様の別の例を示す。この例でも、タスク表示欄３０１ａのタスク、タスク表示欄３０３ａのタスク、タスク表示欄３０３ｂのタスクが実施済みとされ、また注意情報表示欄３０１ｂの注意情報、補助情報表示欄３０３ｆの補助情報が確認済みとされている。表示制御部２２３は、かかる表示欄を、検査プロトコル画面から削除する。これにより医師は、未実施タスクのみを認識するようになり、検査プロトコル画面を単純化できる。特に表示装置１５の画面サイズが小さい場合には、未実施タスクのみを表示することで、情報提供の効率化を実現できる。
【０１９５】
図４１は、実施済みタスクの表示態様の別の例を示す。この例でも、タスク表示欄３０１ａのタスク、タスク表示欄３０３ａのタスク、タスク表示欄３０３ｂのタスクが実施済みとされ、また注意情報表示欄３０１ｂの注意情報、補助情報表示欄３０３ｆの補助情報が確認済みとされている。この例では、表示制御部２２３が、カテゴリ別にタスクを示すタスクマークを時系列に並べた時間表３１２を表示し、実施済みタスクの色を変更している。このように時間表３１２もあわせて表示することで、医師は、実施タスクと未実施タスクとの時間的関係を認識できる。
【０１９６】
図４２は、検査プロトコル画面の別の例を示す。この例では、タスク表示欄３０１ａのタスク、タスク表示欄３０３ａのタスク、タスク表示欄３０３ｂのタスク、タスク表示欄３０３ｄのタスクが実施済みとされ、また注意情報表示欄３０１ｂの注意情報、補助情報表示欄３０３ｆの補助情報が確認済みとされている。
【０１９７】
図４２に示す例では、医師が、タスク表示欄３０３ｃのタスクを実施する前に、タスク表示欄３０３ｄのタスクを実施している。検査プロトコルは、検査の手順を定めるものであり、中部食道の撮影前に、下部食道の撮影をすることは適切ではない。しかしながら何らかの事情により、先に下部食道を撮影してしまったような場合には、実施したタスクを選択できるようにすることが好ましい。なお、検査プロトコルに規定される検査手順を厳密に遵守させるために、本来は後で実施するべきタスクを先に実施した場合には、実施したタスクを選択できないようにしてもよい。これにより医師は、実施したタスクを選択するためには、その前の未実施タスクを選択する必要があるため、未実施タスクの実施忘れを防止できる。
【０１９８】
図４３は、検査プロトコル画面の別の例を示す。この例では、検査プロトコル画面に、タスク表示欄３０３ｇが追加されている。これは検査中に、観察光が狭帯域光（ＮＢＩ）に切り替えられ、切り替えられた狭帯域光に関するタスクを医師に提示している状態を示す。
【０１９９】
図３４に戻り、データ取得部２２１は、内視鏡検査における実施データを取得する。ここでは照射光種別データ取得部２２１ａが、照射光種別データを取得している例を示す。照射光種別データ取得部２２１ａが、狭帯域光の照射光種別データを取得すると、状況変化検知部２４２が、検査の実施状況に変化が生じたことを検知する。この例では、状況変化検知部２４２が、実施データである照射光種別データの変化、つまり白色光から狭帯域光への変化を検知する。状況変化検知部２４２が実施データの変化を検知すると、表示制御部２２３は、その変化に応じたタスクを、そのタイミングで検査プロトコル画面に表示する。ここではタスク表示欄３０３ｇに、「近接すること。」とするテキスト文を表示している。これにより医師は近接観察を行うことを認識し、近接することで、タスク表示欄３０３ｇを選択して、実施済みとする。
【０２００】
なお表示制御部２２３は、新たに追加したタスクのタスク表示欄３０３ｇを強調表示してもよい。このタスクは、標準プロトコルでは予定されていなかったため、医師は、タスクの発生を認識していない場合もあるためである。なお、このとき何らかの通知音を発生させることで、医師に新たなタスクの発生を気付かせてもよい。
【０２０１】
以上のように、医師は、検査プロトコルにしたがって検査を進め、検査終了時には、理想的には全てのタスクが実施済みとされる。しかしながら検査中、何らかの事情により、実施できなかったタスクが残っていることも想定される。そこで未実施タスク検出部２４１は、検査終了時に未実施タスクの存在を調査し、未実施タスクが残っている場合には、未実施タスクが存在していることを検出する。未実施タスク検出部２４１が未実施タスクの存在を検出すると、表示制御部２２３は、未実施タスクを表示してもよい。医師は、表示された未実施タスクを見て、必要であれば再検査を行ってもよい。
【０２０２】
また検査終了後、医師は検査レポートを作成するが、その際に、未実施タスクが表示されて、医師がタスクを実施しなかった理由を書き込む欄が設けられてもよい。このように未実施タスクに関する報告を入力させることで、検査プロトコルの遵守を徹底することが可能となる。
【０２０３】
なお検査中、実施タスク検出部２４０が、タスクが実施されたことを検出すると、データ記録部２２５が、検査データ保持部２３２に、タスクが実施されたことを記録することを説明した。このタスクの実施記録は、検査プロトコル通りに検査が実施されたかを確認するために利用されてよい。たとえば検査医が非熟練医である場合、指導医は、当該検査におけるタスクの実施記録から、検査プロトコルの手順通りに検査が実施されたかを確認できる。たとえば表示制御部２２３は、時間表３１２（図４１参照）に示したように、実施済みタスクを時系列にしたがって表形式で並べた画面を生成し、指導医は、かかる画面から、検査プロトコル通りに検査が実施されたか確認してもよい。
【０２０４】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。実施の形態１−７において説明した手法は様々な組み合わせが可能であり、図１−図３２に例示した組み合わせに限らない。
【０２０５】
上述の実施の形態１−７において画像認識部１２３が内視鏡処理装置１２に設けられる構成を説明したが、画像認識部１２３は内視鏡検査データ記録装置２０に設けられてもよいし、内視鏡処理装置１２および内視鏡検査データ記録装置２０以外の別の装置内に設けられてもよい。
【０２０６】
上述の実施の形態１−７では、光源装置１４や内視鏡画像からＮ秒またはＮフレームおきに各種のデータを検知し、内視鏡検査データ記録装置２０に送信した。この点、データの種別によってはイベント発生時のデータのみを検知し、内視鏡検査データ記録装置２０に送信してもよい。例えば、薬剤散布データについて薬剤が散布されていない期間のデータは、内視鏡検査データ記録装置２０に送信しない設定も可能である。
【符号の説明】
【０２０７】
１・・・内視鏡業務支援システム、１０・・・内視鏡システム、１５・・・表示装置、２０・・・内視鏡検査データ記録装置、２２１・・・データ取得部、２２１ａ・・・照射光種別データ取得部、２２１ｇ・・・画像取得部、２２１ｈ・・・患者データ取得部、２２１ｉ・・・完了データ取得部、２２２・・・操作受付部、２２３・・・表示制御部、２２５・・・データ記録部、２３２・・・検査データ保持部、２３４・・・検査プロトコル保持部、２３５・・・設定情報保持部、２４０・・・実施タスク検出部、２４１・・・未実施タスク検出部、２４２・・・状況変化検知部、２４３・・・表示設定部。
【図１】
0006644530.tif 000002
【図２】
0006644530.tif 000003
【図３】
0006644530.tif 000004
【図４】
0006644530.tif 000005
【図５】
0006644530.tif 000006
【図６】
0006644530.tif 000007
【図７】
0006644530.tif 000008
【図８】
0006644530.tif 000009
【図９】
0006644530.tif 000010
【図１０】
0006644530.tif 000011
【図１１】
0006644530.tif 000012
【図１２】
0006644530.tif 000013
【図１３】
0006644530.tif 000014
【図１４】
0006644530.tif 000015
【図１５】
0006644530.tif 000016
【図１６】
0006644530.tif 000017
【図１７】
0006644530.tif 000018
【図１８】
0006644530.tif 000019
【図１９】
0006644530.tif 000020
【図２０】
0006644530.tif 000021
【図２１】
0006644530.tif 000022
【図２２】
0006644530.tif 000023
【図２３】
0006644530.tif 000024
【図２４】
0006644530.tif 000025
【図２５】
0006644530.tif 000026
【図２６】
0006644530.tif 000027
【図２７】
0006644530.tif 000028
【図２８】
0006644530.tif 000029
【図２９】
0006644530.tif 000030
【図３０】
0006644530.tif 000031
【図３１】
0006644530.tif 000032
【図３２】
0006644530.tif 000033
【図３３】
0006644530.tif 000034
【図３４】
0006644530.tif 000035
【図３５】
0006644530.tif 000036
【図３６】
0006644530.tif 000037
【図３７】
0006644530.tif 000038
【図３８】
0006644530.tif 000039
【図３９】
0006644530.tif 000040
【図４０】
0006644530.tif 000041
【図４１】
0006644530.tif 000042
【図４２】
0006644530.tif 000043
【図４３】
0006644530.tif 000044